(57)【要約】【課題】装置小型化及び動作表示の性能向上のうち、少なくとも一つを達成可能な透過型の液晶表示装置を得る。【解決手段】液晶パネル５は平面視して上下方向に４つの分割領域ＤＡ１〜ＤＡ４に分けられており、これら分割領域ＤＡ１〜ＤＡ４に対応するように導光板８の左側面に上下に４つ並べて蛍光管等より構成される線発光源２１ａ〜２４ａを配置し、線発光源２１ａ〜２１ｄより発光された光は導光板８を介して分割領域ＤＡ１〜ＤＡ４を照射するように構成される。そして、スイッチＳＷ１〜ＳＷ４のＯＮ／ＯＦＦにより、線発光源２１ａ〜２４ａを独立に点滅制御することにより、分割領域ＤＡ１〜ＤＡ４それぞれにおける全画素が目標透過率に落ち着いている時間を含む一定時間のみ、線発光源２１ａ〜２４ａのうち対応する分割領域を担当する線発光源を発光（点灯）させている。【選択図】図４
2006301053.tif 000002
【特許請求の範囲】
【請求項１】
Ｍ列及びＮ行の画素構成の表示画面上で画像表示を行う液晶パネルを備え、前記表示画面は所定数行毎に分割される複数の分割領域を含み、
前記表示画面における前記複数の分割領域に対応して設けられ、各々が対応する前記分割領域を照射する複数の分割バックライト手段をさらに備え、
前記複数の分割バックライト手段は、それぞれ前記液晶パネルの前記表示画面上から平面視して、前記表示画面の側面に配置される所定の発光源と、前記所定の発光源より入射される光を、前記液晶パネルの対応する前記分割領域を照射するように導く部分導光部とを含み、
前記複数の分割バックライト手段それぞれの発光／消灯を制御するバックライト点滅制御動作を行うバックライト点滅制御部をさらに備え、
前記バックライト点滅制御動作は、前記複数の分割領域それぞれが前記画像データで規定される目標透過率に達している期間の少なくとも一部において対応の前記分割バックライト手段を発光させ、かつ、前記複数の分割バックライト手段をそれぞれ１フレーム期間内に発光／消灯させるように制御する動作を含む、
液晶表示装置。
【請求項２】
請求項１記載の液晶表示装置であって、
前記複数の分割バックライト手段の前記所定の発光源は、前記平面視して前記表示画面の一側面に沿って配置される、
液晶表示装置。
【請求項３】
請求項１記載の液晶表示装置であって、
前記所定の発光源は第１及び第２の発光源を含み、
前記複数の分割バックライト手段の前記第１の発光源は、前記平面視して前記表示画面の一方側面に沿って配置され、
前記複数の分割バックライト手段の前記第２の発光源は、前記平面視して前記表示画面の他方側面に沿って配置される、
液晶表示装置。
【請求項４】
請求項１記載の液晶表示装置であって、
前記複数の分割バックライト手段は第１及び第２の分割バックライト群に分類され、
前記第１の分割バックライト群における前記分割バックライト手段の前記所定の発光源は、前記平面視して前記表示画面の一方側面に沿って配置され、
前記第２の分割バックライト群における前記分割バックライト手段の前記所定の発光源は、前記平面視して前記表示画面の他方側面に沿って配置される、
液晶表示装置。
【請求項５】
請求項１ないし請求項４のうち、いずれか１項に記載の液晶表示装置であって、
前記所定の発光源は線発光源を含む、
液晶表示装置。
【請求項６】
請求項１ないし請求項４のうち、いずれか１項に記載の液晶表示装置であって、
前記所定の発光源は点発光源を含む、
液晶表示装置。
【請求項７】
請求項６記載の液晶表示装置であって、
前記点発光源は、少なくとも一組の赤色点発光源、緑色点発光源、及び青色点発光源を有するＲＧＢ点発光源群を含む、
液晶表示装置。
【請求項８】
請求項１ないし請求項７のうち、いずれか１項に記載の液晶表示装置であって、
前記部分導光部は、
前記所定の発光源から照射される全光量に対し、対応する前記分割バックライト手段以外の分割バックライト手段の前記部分導光部に漏れる漏れ光量の割合が１／３以下となる光遮断構造を有する、
液晶表示装置。
【請求項９】
請求項８記載の液晶表示装置であって、
前記部分導光部は、前記平面視して前記表示画面の行方向に延びて各々が形成される複数の低屈折領域及び複数の高屈折領域を有し、
前記光遮断構造は、前記複数の低屈折領域及び前記複数の高屈折領域とが、前記平面視して前記表示画面の列方向に交互に形成される構造を含む、
液晶表示装置。
【請求項１０】
請求項８記載の液晶表示装置であって、
前記光遮断構造は、前記複数の分割バックライト手段の前記部分導光部間の境界に設けられた両面が鏡面の境界部を含む、
液晶表示装置。
【請求項１１】
Ｍ列及びＮ行の画素構成の表示画面上で画像表示を行う液晶パネルを備え、前記表示画面は所定数行毎に分割される複数の分割領域を含み、
前記表示画面における前記複数の分割領域に対応して設けられ、各々が対応する前記分割領域を、光源を点発光源として照射する複数の分割バックライト手段と、
前記複数の分割バックライト手段それぞれの発光／消灯を制御するバックライト点滅制御動作を行うバックライト点滅制御部とをさらに備え、
前記バックライト点滅制御動作は、前記複数の分割領域それぞれが前記画像データで規定される目標透過率に達している期間の少なくとも一部において対応の前記分割バックライト手段を発光させ、かつ、前記複数の分割バックライト手段をそれぞれ１フレーム期間内に発光／消灯させるように制御する動作を含む、
液晶表示装置。
【請求項１２】
請求項１１記載の液晶表示装置であって、
前記点発光源は、前記表示画面の対応する前記分割領域の背面に配置される、
液晶表示装置。
【請求項１３】
請求項１ないし請求項１２のうち、いずれか１項に記載の液晶表示装置であって、
前記バックライト点滅制御動作は、前記複数の分割領域それぞれが前記目標透過率に達している期間のみにおいて対応の前記分割バックライト手段を発光させる動作を含む、
液晶表示装置。
【請求項１４】
請求項１ないし請求項１２のうち、いずれか１項に記載の液晶表示装置であって、
１フレーム期間内に画像データ及び黒画像データを書き込む書き込み機構をさらに備える、
液晶表示装置。
【請求項１５】
請求項１ないし請求項１２のうち、いずれか１項に記載の液晶表示装置であって、
少なくとも垂直クロックを含むタイミング信号を生成するタイミング制御部と、
前記垂直クロックに基づき行単位に画像データを前記液晶パネルに書き込む画像書き込みドライバとを有し、
前記バックライト点滅制御動作は、前記複数の分割領域それぞれが前記目標透過率に達している期間のみにおいて対応の前記分割バックライト手段を発光させ、
前記書き込みドライバは、１フレーム期間内に画像データ及び黒画像データを書き込むドライバを含む、
液晶表示装置。
【請求項１６】
請求項１ないし請求項１３のうち、いずれか１項に記載の液晶表示装置であって、
少なくとも垂直クロックを含むタイミング信号を生成するタイミング制御部と、
前記垂直クロックに基づき行単位に画像データを前記液晶パネルに書き込む画像書き込みドライバとを有し、
前記バックライト点滅制御部は、
前記タイミング制御部内に設けられる、
液晶表示装置。
【請求項１７】
請求項１ないし請求項１３のうち、いずれか１項に記載の液晶表示装置であって、
少なくとも垂直クロックを含むタイミング信号を生成するタイミング制御部と、
前記垂直クロックに基づき行単位に画像データを前記液晶パネルに書き込む画像書き込みドライバとを有し、
前記バックライト点滅制御部は、
前記書き込みドライバ内に設けられる、
液晶表示装置。
【請求項１８】
請求項１ないし請求項１３のうち、いずれか１項に記載の液晶表示装置であって、
少なくとも垂直クロックを含むタイミング信号を生成するタイミング制御部と、
前記垂直クロックに基づき行単位に画像データを前記液晶パネルに書き込む画像書き込みドライバとを有し、
前記バックライト点滅制御部は、
前記タイミング制御部より前記垂直クロックを受け、前記タイミング制御部とは分離して設けられる、
液晶表示装置。
【請求項１９】
請求項１ないし請求項１３のうち、いずれか１項に記載の液晶表示装置であって、
少なくとも垂直クロックを含むタイミング信号を生成するタイミング制御部と、
前記垂直クロックに基づき行単位に画像データを前記液晶パネルに書き込む画像書き込みドライバとを有し、
前記バックライト点滅制御部は、
前記書き込みドライバより前記垂直クロックを受け、前記書き込みドライバとは分離して設けられる、
液晶表示装置。
【発明の詳細な説明】
【技術分野】
【０００１】
この発明は、透過型液晶表示装置に関し、特に動画表示性能の向上に関する。
【背景技術】
【０００２】
液晶パネルを使った透過型の液晶表示装置は、小型(薄い)、軽量、省電力など多くの利点がある。また、急速に普及してきたデジタル放送との組み合わせで、この数年で急速に普及してきている。なお、液晶の動作原理等は例えば、非特許文献１に紹介されている。
【０００３】
しかし、その反面、現在の液晶技術では、ブラウン管を使ったＣＲＴに比較して、「応答速度が遅く動画表示でぼやける」という点が重要な問題点となっている。
【０００４】
＜動画性能の悪い原因の説明と要因の分析＞
・液晶の動画性能が悪い原因として２つの要因が考えられている。ひとつは、液晶のセル(R、G、Bの各色画素)に書き込む際の、データを書き込んでから実際に希望の透過率に変わるまでの時間(書き込み応答時間)が遅いこと。もうひとつが、ブラウン管では実際には一瞬発光した後すぐに、発光量が少なくなるインパルス表示なのに対して、液晶では、画素に対して一度書き込みが実施されると、次に新しいデータが書き込まれるまでそのデータが保持されるので発光も次のデータまで保持されるホールド型の表示方式によるものとである。これらの問題点については、例えば、非特許文献２及び非特許文献３で述べられている。
【０００５】
＜応答速度向上策の問題＞
通常のＴＶ放送は一秒間に６０フィールド表示するので１フィールドあたり約16.7msで表示することになる。これまでの液晶パネルの応答速度は通常20〜40ms程度がせいぜいで、とりあえず最大16.7ms以内の応答速度に持ってゆくことを目標に開発が実施されており、例えば、非特許文献１において、過度的に少し余分の電圧を印加し、液晶の応答速度を加速するなどの提案がなされている。
【０００６】
その結果、現時点で16.7msをクリアし、場合によっては8ms程度の応答速度などが達成されている。しかし、この応答速度を向上させることに関しては、非特許文献２で述べられているように、仮に5msを切るような応答速度を達成しても、ホールド型の発光である限り、動いている絵を表示させた場合には動いている絵のエッジ付近にぼやけが残り、インパルス発光のブラウン管の動画表示には及ばないことも問題点として報告されている。
【０００７】
＜従来のインパルス駆動に関する問題点＞
したがって、ブラウン管並みに良好な動画表示性能を得ようすると、応答速度の向上とともにインパルス駆動型の表示方式が必要になる。
【０００８】
非特許文献２では、インパルス型の表示方式を実現させるために、バックライトを点滅する方式と、通常の動画の各フィールドの間に全面黒画面の画像を挿入し表示することが紹介されている。この非特許文献２では、黒画像の割合と通常画像の表示の割合を１：１程度にすることが提案されているが、他の技術者からは4ms程度の波形幅のインパルス発光が必要との意見も報告されている。
【０００９】
しかし、従来の液晶パネルで、バックライトの点滅を実行させると以下の不具合が生じることが確認された。現状レベルの液晶パネルでは、（書き込み）応答速度が遅いために、すべての画素が目的の透過率に収束している時間帯は存在しない。
【００１０】
次に、すべての画素が目的の透過率に収束する時間帯を作るために、一行目のラインの書き込みを開始してから、最終のラインに書き込みを終了させるまでの全パネルの書き込み時間を早める方法を考察する。
【００１１】
まず、画像データの書き込み速度を倍に向上させ、例えば、バックライトを消灯させておいて、半フィールド分の時間(約8.4ms)で全面にデータを書き込み、残りの半フィールド分の時間にバックライトを点灯させて表示させる方法を考えてみる。
【００１２】
この方法でも、最初にデータを書き込んだラインと最後にデータを書き込んだラインとでは、約１/２フレーム周期(16.7/2）msの差が存在し、応答速度が8msと相当高速なタイプのものでも、バックライトを発光させるための時間を得ることはできない。
【００１３】
では、逆に例えば4msのインパルス発光の時間を得ることから逆算すると、画面全体へのデータの書き込みと応答速度の合計は（16.7-4)ms以下になることが必要となる。ここで、応答速度が8msとすると、約4.7msで全行への書き込み動作を終了させなくてはならないこととなる。
【００１４】
したがって、インパルス発光方式を従来パネルで実現するには、高速な応答速度(8ms程度)が要求されると同時に、画素への全面書き込み時間も非常に高速にすることが要求される(約1/4フレーム周期：4ms程度)。
【００１５】
これを実現するためには、従来技術と書き込み方式と、要求性能・手順が大きく異なってきて、新たな制御回路の大幅変更が必要になり、新規のLSIの開発などの問題が生じる。
【００１６】
特に、書き込み速度を４倍程度高速にする必要があり、これは、ソースドライバ回路が現状でさえ数十から数百メガHzの転送クロックを必要とし、基盤コストを削減できない原因のひとつになっていることを考えると、バス幅を４倍にするなどの対策を施さねばならず、基盤面積の増大、ノイズの増大、結果として製造コストの増大を生じるという問題が発生するため、実用レベルでは不可能に近い。
【００１７】
次に、黒画面の挿入について検討する。黒画面挿入では、通常の１フィールド期間内に、ひとつの画素に対して、通常の画素と黒の画素を２回書き込むことになり、結果として一秒間に120回のフィールドを書き込むことと等価になる。この結果、通常の２倍の書き込み速度の向上と応答性能の向上の両方が要求され、バックライトの点滅方式ほど顕著ではないにしろ程度の問題で製造コストが上昇するという問題が生じる。
【００１８】
ところで、データ書き込みに対する応答速度の変動に関しては、前フレームの階調と今フレームの階調の組み合わせに大きく依存するため、そのオーバードライブ量の決定のためには、一般には前フレームの階調をフレームメモリに格納しておき、それと今フレームのデータの階調とを参考に、書き込み加速量を決定していることが、非特許文献２で開示されている。
【００１９】
また、一般には中間階調から中間階調への応答速度が遅くなる傾向があることが、非特許文献２で開示されている。
【００２０】
この２点から、黒画面を挿入することで、通常画像フレームの前フレームのデータは固定(黒画面)なので、前回の書き込みデータを記憶するためのフレームメモリが不要でかつ、黒画面からの応答速度なので中間階調からの応答速度に比較すると、応答速度自体も改善されることが期待される。
【００２１】
このように、上記のバックライト点滅方式に比べると、応答速度、一画面の書き込み速度の増大の割合は削減されることが期待できるが、ここで、問題になるのが、黒画面挿入の場合の光量の減少による消費電力効率の悪化である。
【００２２】
従来方式のバックライトは画面全体を照射しているので、黒画面挿入の方式では、黒画面を表示しているときもバックライトを点灯しておく必要がある。つまり、一秒間に都合１２０フィールドの画像表示の半分の時間が黒画面なので、実際に画像の表示に使われる光の量は通常の表示方式の半分の量になる。したがって、バックライト自体の明るさが一定だと、通常の表示に比べ画面の明るさは半分になる。
【００２３】
これは、液晶パネルの開発課題のひとつである輝度の向上にとって問題となり、結果として、ライトの明るさを２倍にするために、ライトの数量を２倍にしたり、ライトの消費電力を２倍に増やして明るくするなどの方法が必要になる。いずれにせよ、この結果、通常の液晶パネルと同一の明るさを得るためには、消費電力が通常のおおよそ2倍の消費電力が必要になる。
【００２４】
これはバックライトの点滅方式が通常の液晶パネルと同等の明るさを維持するために、バックライトのピーク輝度を同様に倍にするため、ピークの消費電力を倍にする必要があるとしても、半分の時間は消灯しているので、その期間は電力が消費されず、結果として、平均の消費電力は増加しないことと著しく事情がことなり、さらに、消費電力、発熱、ノイズの増加などが増加するとともに、その対策のための製造コストが付加されるという問題も発生する。
【００２５】
また、これらの問題を解決すべく、特許文献１には、複数の発光領域（バックライト領域）を、垂直同期信号に同期して順次スキャン点灯させる方式を採用した液晶表示装置が開示されている。
【００２６】
【特許文献１】特開平１１−２０２２８６号公報
【非特許文献１】シャープ株式会社、ホームページ”液晶ディスプレイの原理と技術” ［平成１７年３月１６日検索］ インターネット＜ＵＲＬ：http://www.sharp.co.jp/products/lcd/tech/index2.html＞
【非特許文献２】“Third-Generation Feedforward Driving” ,Jun Someya,Information Display, February 2004, Vol.20,No2,pp16-20.
【非特許文献３】“Improving The Moving-Image Quality of LCDs by Using Impulse Driving”,Jun-ichi Ohwada, Information Display ,June 2004, Vol.20,No6,pp24-27.
【発明の開示】
【発明が解決しようとする課題】
【００２７】
しかしながら、特許文献１に開示された液晶表示装置においては、４分割された発光領域の照明手段としては裏面に４つの蛍光ランプを用いているため、照明手段と液晶パネルとからなる透過型の液晶モジュールの小型化に支障を来す。また、点灯中の蛍光ランプからの光が液晶パネルの対応する分割領域以外にも拡散する結果、動画表示の性能劣化を招いてしまう問題点があった。
【００２８】
この発明は上記問題点を解決するためになされたもので、装置小型化及び動作表示の性能向上のうち、少なくとも一つを達成可能な透過型の液晶表示装置を得ることを目的とする。
【課題を解決するための手段】
【００２９】
この発明に係る請求項１記載の液晶表示装置は、Ｍ列及びＮ行の画素構成の表示画面上で画像表示を行う液晶パネルを備え、前記表示画面は所定数行毎に分割される複数の分割領域を含み、前記表示画面における前記複数の分割領域に対応して設けられ、各々が対応する前記分割領域を照射する複数の分割バックライト手段をさらに備え、前記複数の分割バックライト手段は、それぞれ前記液晶パネルの前記表示画面上から平面視して、前記表示画面の側面に配置される所定の発光源と、前記所定の発光源より入射される光を、前記液晶パネルの対応する前記分割領域を照射するように導く部分導光部とを含み、前記複数の分割バックライト手段それぞれの発光／消灯を制御するバックライト点滅制御動作を行うバックライト点滅制御部をさらに備え、前記バックライト点滅制御動作は、前記複数の分割領域それぞれが前記画像データで規定される目標透過率に達している期間の少なくとも一部において対応の前記分割バックライト手段を発光させ、かつ、前記複数の分割バックライト手段をそれぞれ１フレーム期間内に発光／消灯させるように制御する動作を含む。
【００３０】
この発明に係る請求項１１記載の液晶表示装置は、Ｍ列及びＮ行の画素構成の表示画面上で画像表示を行う液晶パネルを備え、前記表示画面は所定数行毎に分割される複数の分割領域を含み、前記表示画面における前記複数の分割領域に対応して設けられ、各々が対応する前記分割領域を、光源を点発光源として照射する複数の分割バックライト手段と、前記複数の分割バックライト手段それぞれの発光／消灯を制御するバックライト点滅制御動作を行うバックライト点滅制御部とをさらに備え、前記バックライト点滅制御動作は、前記複数の分割領域それぞれが前記画像データで規定される目標透過率に達している期間の少なくとも一部において対応の前記分割バックライト手段を発光させ、かつ、前記複数の分割バックライト手段をそれぞれ１フレーム期間内に発光／消灯させるように制御する動作を含む。
【発明の効果】
【００３１】
この発明における請求項１記載の液晶表示装置は、バックライト点滅制御部によって、複数の分割領域それぞれにおいて、画素がすべて目標透過率を達成する時間中に対応の分割バックライト手段を発光させることにより、従来技術で実現可能な書き込み応答時間であってもインパルス型の表示方式を実現することができるため、動作表示性能を高めることができる。
【００３２】
加えて、所定の発光源を表示画面の側面に配置することにより、液晶パネル及び複数のバックライト手段からなる液晶モジュールの厚みを厚くすることを回避することができるため、装置の小型化に支障が生じることはなく装置の小型化を達成することができる。
【００３３】
この発明における請求項１１記載の液晶表示装置は、バックライト点滅制御部によって、複数の分割領域それぞれにおいて、画素がすべて目標透過率を達成する時間中に対応の分割バックライト手段を発光させることにより、従来技術で実現可能な書き込み応答時間であってもインパルス型の表示方式を実現することができるため、動作表示性能を高めることができる。
【００３４】
さらに、光源を点発光源とすることにより、点滅動作に対する発光源の動作寿命を延ばすことが実現できる効果を奏する。さらに、発光源自体の点滅の応答速度も向上可能で、より細かい時間での制御が可能となり、かつ、線発光源に比較して素子の大きさを小型にできることから、明るさを保ちつつ、装置を薄く製造できるという効果も奏する。
【発明を実施するための最良の形態】
【００３５】
＜実施の形態１＞
（全体構成）
図１はこの発明の実施の形態１である透過型の液晶表示装置の構成を示すブロック図である。本液晶表示装置は640列ｘ3色ｘ480行の画素構成の表示画面を有する液晶パネル装置の構成を示している。
【００３６】
本液晶表示装置は、色画素がマトリックス状に配置された液晶パネル５、ソースドライバ（回路）３、ゲートドライバ（回路）４、タイミングコントローラ（タイミング制御部）２、デジタルI/F（回路）１、バックライト用駆動回路１１〜１４及び分割バックライト２１〜２４を主要部として構成されている。
【００３７】
ＴＶ（テレビジョン）のデジタルIF回路（LVDS(Low Voltage Differential Signaling)など）から送信されてきたデジタル信号はデジタルＩ／Ｆ１（LVDSなど）のレシーバで受けられ、タイミングコントローラ２へ入力される。
【００３８】
タイミングコントローラ２はソースドライバ３へ適当なタイミングで画像データ（アナログ画像信号ｒData，アナログ画像信号ｇData，アナログ画像信号ｂData）を送るとともに、駆動制御用のタイミング信号である、転送クロックＣlk、水平スタート信号Ｈs、及び水平ドライブ信号Ｈdrvを生成し、ソースドライバ３に転送する。
【００３９】
それと同時に、タイミングコントローラ２は、タイミング信号である、垂直（転送）クロックＶclk、垂直スタート信号Ｖs、及び垂直ドライブ信号Ｖdrvを生成し、ゲートドライバ４へ伝える。また、後に詳述するが、バックライト用駆動回路１１〜１４の制御もタイミングコントローラ２が生成する。
【００４０】
ソースドライバ３は送られてきた信号から一つの色画素毎の画像データを一行分、取り込んでは出力端子からそれぞれに対応する画像信号を一斉にソース配線に出力する動作を行う。
【００４１】
一方、ゲートドライバ４はソースドライバ３から一行分の画像データが一斉に出力されるのにうまく同期するように、対応する行の色画素のＭＯＳトランジスタをオンさせるために、適当なゲート配線に適当なタイミングでオン信号を出力する。
【００４２】
図２はゲートドライバ４の回路構成例と液晶（素子）パネル５の構成ならびに、それらと、ソースドライバ３との接続関係を示す説明図である。
【００４３】
図３は画像書き込みドライバを構成するソースドライバ３及びゲートドライバ４の動作時の信号波形を示すタイミング図である。
【００４４】
図２に示すように、ゲートドライバ４は液晶パネル５にアレイ状に配置された画素の行数に対応した４８０段数のシフトレジスタ回路（ＤフリップフロップＦＦ１〜ＦＦ４８０）とその出力に対応したＡＮＤゲート群（ＡＮＤゲートＡＧ１〜ＡＧ４８０）を有する。
【００４５】
ＡＮＤゲートＡＧ１〜ＡＧ４８０の出力は液晶パネル５の対応する各行のゲート信号配線Ｌ１〜Ｌ４８０に接続され、それを経由して、その配線に接続されたＭＯＳトランジスタＱＥのゲート端子に接続されてる。
【００４６】
ＡＮＤゲートＡＧｉ（ｉ＝１〜４８０）の一方の入力端子には、対応するＤフリップフロップＦＦｉの出力信号がそれぞれ付与され、他方の入力端子には一本の共通信号線４５で接続され、共通信号線４５は垂直ドライブ信号Ｖdrvが入力されるＶclk端子４７に接続されている。
【００４７】
液晶パネル５の各列のソース配線５０はＲＧＢ毎にソースドライバ３の対応するＤ／Ａコンバータ３１の出力端子にそれぞれ結線されている。ソースドライバ３が一行分の画素データを取り込む周期にあわせて、垂直転送クロックＶclkが生成される。
【００４８】
ソースドライバ３が、一行目の画素データを取り込み始めると、１Ｖclk周期分の垂直スタート信号Ｖsがまず、ゲートドライバ４のＶs端子４６に印加される、これが次の垂直転送クロックＶclkに同期して、１行目の画素に対応するシフトレジスタであるＤフリップフロップＦＦ１のＤ入力に取り込まれ、Ｑ出力から出力される。このとき、ソースドライバ３からは一行目の画像データが一斉に出力され始める。
【００４９】
このソースドライバ３からのアナログの画像データ信号が十分立ち上がり（立ち下がり）に同期するタイミングで、垂直ドライブ信号Ｖdrv信号が印加され、一行目のＡＮＤゲートＡＧ１を通して一行目のゲート配線Ｌ１に印加される。
【００５０】
すると、一行目の各画素に対応したＭＯＳトランジスタＱＥが一斉にＯＮ状態となり、ソース配線５０に出力されていたアナログの画素データ信号（ｒData１，ｇData１，ｂData１〜ｒData640，ｇData640，ｂData640）が一斉にそれぞれのＭＯＳトランジスタＱＥを通じて、一行目の各画素の液晶キャパシタＣＥの液晶電極に印加され、その後、垂直ドライブ信号Ｖdrvの立下りとともに、ＭＯＳトランジスタＱＥがＯＦＦ状態となり、印加された電圧に基づく電荷が液晶キャパシタＣＥ内に保持される。なお、液晶キャパシタＣＥの液晶電極に対向する対向電極は共通電圧ＶＣに設定される。
【００５１】
以降、同様にして、垂直転送クロックＶclkと垂直ドライブ信号Ｖdrv信号を順番に４８０回入力することにより、垂直スタート信号ＶsをＤフリップフロップＦＦ１〜ＦＦ４８０を介して順次１垂直転送クロックＶclk分遅延して発生する垂直スタート信号Ｖs1，Ｖs2，…Ｖs480に基づき、480行すべての液晶キャパシタＣＥに所望の電圧（電荷）を保持させることができる。
【００５２】
図３から、ゲートドライバ４は４８０回クロックを入れることですべての行に画像データを書き込むが、ソースドライバ３では６４０列×３色分のデータを一行分の時間内にソースドライバ３に取り込み、まとめて出力しなくてはいけないことが明らかである。
【００５３】
したがって、液晶パネル５のパネルサイズによるが、１フレーム分のデータの表示のために、ゲートドライバ４のクロックはフレーム周波数の概略１０００倍の転送レートが必要でソースドライバ３ではさらにその１０００倍の転送レートが必要になるためソースドライバ３への信号入力には最終的には概略数十MHｚ〜数百MHｚレベルの非常に高速な転送クロックＣlkが必要になることが技術的な注目点である。
【００５４】
なお、図３において、水平スタート信号Ｈs1，Ｈs2，…Ｈs640は、水平スタート信号Ｈsを６４０段直接のシフトレジスタ（ゲートドライバ４のＤフリップフロップＦＦ１〜ＦＦ４８０相当）を介して順次１転送クロックＣlk分遅延して発生する信号である。
【００５５】
一方、図３に示すように、垂直ドライブ信号Ｖdrvが印加されてから、実際に液晶をはさむコンデンサである液晶キャパシタＣＥに電荷が充電され、その結果、挟まれた液晶の結晶が移動し偏光角度が変化し、画像データによって規定される目標透過率に落ち着くまでの時間は（書き込み）応答速度と言われ、早いもので１０ｍｓを切る程度、通常２０ｍｓ〜４０ms程度の値となっている。なお、図３では１６ｍｓを例示している。
【００５６】
これは、ＴＶが一秒間に６０フレーム表示することを考えると、１フレームあたり１６．７ｍｓなのに対して、応答速度はフレームの周期と同等程度で場合によっては、それより遅いため、次の画像が表示されるまでに所望の色諧調が得られておらず、得られていないまま、次の画像表示に映らざる得なくなっていることを意味している。
【００５７】
これが、液晶で動画を表示させると動いている絵の輪郭部分がぼやけてしまう原因のひとつになってしまう。つまり、この書き込み応答速度が遅いことが、本発明が必要となるそもそもの問題点のひとつになっている。本発明では、書き込み応答時間が８ｍｓレベルに高速化することを想定している。
【００５８】
ただし、各ラインの液晶が動作し始める時刻（つまり、書き込みを開始する時刻）はライン毎にずれており、一番最初に一行目の書き込み動作が始まってから、最終ラインの書き込みが完了するまでに、ほぼ、１フレーム分の時間を費やしている。このことから、単に書き込み応答時間Ｔｗを短縮しても、画面上のすべての画素の液晶が目標透過率に収束している瞬間は、現状の動作速度のレベル（動作期間がフレーム周期にほぼ等しいレベル）ではありえないことが明らかである。
【００５９】
（バックライト構成）
図４は実施の形態１の液晶表示装置におけるバックライト構成を示す説明図である。同図に示すように、透過型の液晶パネル５はＭ列×Ｎ行の画素で構成されている。実際には赤（R）、緑（G）、青（B）の３つの色画素からひとつの画素が構成されているので、Ｍ列×３色×Ｎ行の色画素から構成されることになる。なお、図１〜図３で示す全体構成においては、Ｍ＝６４０、Ｎ＝４８０の場合を例に画素構成を示している。
【００６０】
この液晶パネル５の背面には導光板８が密接されて載置され、その背面には反射板７が密接して載置されている。
【００６１】
また、導光板８は側面(図４では左面)からの光を液晶パネル５と接する面(前後面)に拡散して導き、反対の側面(この場合上下面)方向にはあまり反射させないような性質を持たせている。
【００６２】
この実施の形態では液晶パネル５はデータ書き込みの行番号の昇順と同一方向の上下方向（列方向）に４つの分割領域ＤＡ１〜ＤＡ４に分けられており、これら分割領域ＤＡ１〜ＤＡ４に対応するように導光板８の１側面（左面）に上下に４つ並べて蛍光管等より構成される線発光源２１ａ〜２４ａを配置する。すなわち、液晶パネル５の表示面上から平面視して、表示画面の側面位置に線発光源２１ａ〜２４ａが配置される。
【００６３】
その結果、線発光源２１ａ〜２４ａ、反射板７、及び導光板８からなるバックライト手段（複数の分割バックライト手段）は、液晶パネル５において対応する４つの分割領域ＤＡ１〜ＤＡ４に密接する前面にそれぞれなるべく均一に拡散して照射するように構成されている。
【００６４】
すなわち、線発光源２１ａより発光された光は分割領域ＤＡ１を照射し、線発光源２２ａより発光された光は分割領域ＤＡ２を照射し、線発光源２３ａより発光された光は分割領域ＤＡ３を照射し、線発光源２４ａより発光された光は分割領域ＤＡ４を照射する。
【００６５】
そして、線発光源２１ａ〜２４ａに対応してスイッチＳＷ１〜ＳＷ４の一端が接続され、スイッチＳＷ１〜ＳＷ４の他端が共通にバックライト電源６に接続される。すなわち、スイッチＳＷ１〜ＳＷ４のＯＮ／ＯＦＦにより、線発光源２１ａ〜２４ａを独立に点滅制御可能な構造になっている。これらスイッチＳＷ１〜ＳＷ４のＯＮ／ＯＦＦは、図４では図示しないバックライト用駆動回路１１〜１４によって行われる。
【００６６】
このように、実施の形態１において、液晶パネル５における上下方向に４つに分割された画面の分割領域ＤＡ１〜ＤＡ４は、スイッチＳＷ１〜ＳＷ４のＯＮ／ＯＦＦにより、線発光源２１ａ〜２４ａに対してそれぞれ独立にバックライトの点滅制御が実行できる構成になっている。
【００６７】
（導光板）
図５は実施の形態１の導光板８の構成例を示す説明図である。同図の(a)は液晶パネル５側から見た前面図を示す、同図の(b)及び(c)はそれぞれ、同図の(a)のＢ−Ｂ断面、Ａ−Ａ断面の断面図であり、同図の(d)は同図の(a)の領域６０の拡大図(前面図、断面図)を示している。
【００６８】
図５の(a)に示すように、導光板８は線発光源２１ａ〜２４ａ及び分割領域ＤＡ１〜ＤＡ４に対応して、４つの部分導光部８ａ〜８ｄに分割される。
【００６９】
図５の(c)に示すように、導光板８全体は、ほぼ三角形の断面形状を呈しており、背面はのこぎり上の断面の反射面(鏡面)を有する反射板７が形成され横からの光を前面に反射させるようになっている。
【００７０】
また、同図の(d)に示すように、前面から（液晶パネル５の方から）見ると低屈折領域３２と高屈折領域３３とが上下方向（列方向）に交互に層をなして形成され、これらの領域３２，３３が左右（行方向）に延びる形で形成されている。なお、低屈折領域３２と高屈折領域３３との屈折率は両者の相対的な屈折率の関係を示しており、低屈折領域３２より高屈折領域３３の方が屈折率が高く設定してあれば良い。なお、部分導光部８ａ〜８ｄはそれぞれが同図の(d)で示す構造を有している。
【００７１】
上述したように、部分導光部８ａ〜８ｄはそれぞれ低屈折領域３２及び高屈折領域３３が交互に形成される光遮断構造を有することにより、導光板８は、左側から入射した光は、高屈折領域３３で反射され、低屈折領域３２に閉じ込められた結果として、前面から見てほぼ左右方向（行方向）のみに導かれる。このように、図５で示す導光板８の構成例（その１）では、線発光源２１ａ〜２４ａ、部分導光部８ａ〜８ｄ及びその背面の反射板７によって、４つの分割バックライト手段が構成される。なお、上記光遮断構造としては、例えば、部分導光部８ｂにおいて、所定の発光源である線発光源２１ｂから照射される全光量に対し、部分導光部８ａ，８ｃ，８ｄに漏れる漏れ光量の割合が１／３以下となる構造を意味する。
【００７２】
そして、線発光源２１ａ〜２４ａからの入射光が左右方向（行方向）に導かれた光は斜めの底面に形成されたのこぎり状の断面を持つ反射板７の鏡面で反射され、前面方向に反射される。その結果、側面から入射した光は上下方向（列方向）に拡散せず、ほぼ、決められた領域の前面へと精度良く導かれることになる効果を奏する。すなわち、線発光源２１ａからの入射光は部分導光部８ａを経由して分割領域ＤＡ１を照射し、線発光源２２ａからの入射光は部分導光部８ｂを経由して分割領域ＤＡ２を照射し、線発光源２３ａからの入射光は部分導光部８ｃを経由して分割領域ＤＡ３を照射し、線発光源２４ａからの入射光は部分導光部８ｄを経由して分割領域ＤＡ４を照射する。
【００７３】
図６は実施の形態１の導光板８の他の構成例を示す説明図である。同図の(a)は液晶パネル５側から見た前面図を示す、同図の(b)及び(c)はそれぞれ、同図の(a)のＤ−Ｄ断面、Ｃ−Ｃ断面の断面図であり、同図の(d)は同図の(a)の領域６１の拡大図(前面図、断面図)を示している。
【００７４】
図６で示す例では、導光板８は４つに部分導光部８ａ〜８ｄに分割されており、導光板８全体は、ほぼ三角形の断面形状（同図の(c)参照）をした４つの導光板の部分導光部８ａ〜８ｄを前面から見て上下に張り合わせた構造になっている。導光板８の部分導光部８ａ〜８ｄはそれぞれ光透過領域３４で形成され、それぞれ、前面から見た上下面（部分導光部８ａ，８ｂ間、８ｂ，８ｃ間、８ｃ，８ｄ間の境界面）は両面が鏡面の両面鏡面境界部３５が設けられており、背面はのこぎり上の断面の反射面(鏡面)を有する反射板７が形成され横からの光を前面に反射させるようになっている。このように、図６で示す導光板８の構成例（その２）では、線発光源２１ａ〜２４ａ、部分導光部８ａ〜８ｄ及びその背面の反射板７によって、４つの分割バックライト手段が構成される。
【００７５】
このような構造にすることで、光遮断構造として機能する両面鏡面境界部３５の存在による４つの部分導光部８ａ〜８ｄ間で光は透過せず、結果として４つの領域が独立に照明の点滅を制御可能になる効果を奏する。その結果、線発光源２１ａからの入射光は部分導光部８ａを経由して分割領域ＤＡ１を照射し、線発光源２２ａからの入射光は部分導光部８ｂを経由して分割領域ＤＡ２を照射し、線発光源２３ａからの入射光は部分導光部８ｃを経由して分割領域ＤＡ３を照射し、線発光源２４ａからの入射光は部分導光部８ｄを経由して分割領域ＤＡ４を照射する。なお、上記光遮断構造としては、例えば、部分導光部８ｂにおいて、所定の発光源である線発光源２１ｂから照射される全光量に対し、部分導光部８ａ，８ｃ，８ｄに漏れる漏れ光量の割合が１／３以下となる構造を意味する。
【００７６】
なお、反射板７ののこぎり状の断面のみで左右方向に導かれた光を前面方向に反射可能であれば、図６のＡ−Ａ断面及び図６のＣ−Ｃ断面は長方形状に形成してもよい。
【００７７】
図７は各分割領域ＤＡ１〜ＤＡ４に対しての分割された光の照射分布の例を示す説明図である。本実施の形態では、分割領域ＤＡ１〜ＤＡ４それぞれに照明する光源を分割して割り当てている。
【００７８】
図７の(a)では大まかに、光源を割り当てた場合、同図の(b)では完全に分離して光源を割り当てた場合の各領域の光量ＬＱ２１〜ＬＱ２４を各光源毎に模式的に示している。図７のＸ軸は、パネルを前面から見た上下方向の位置を表し、Ｙ軸は光量を示している。
【００７９】
図７の(b)では、分割領域ＤＡ１〜ＤＡ４毎に光源の光が完全に分離されて割り当てられているが、同図の(a)隣接する分割領域間（ＤＡ１，ＤＡ２間、ＤＡ２，ＤＡ３間、ＤＡ３，ＤＡ４間）でそれぞれの光が漏れていることを示している。図７の(a)，(b)どちらの場合でも、本実施の形態の効果を十分発揮できる。ただし、動画表示の精度向上にとっては図７の(b)に示すように完全分離された状態にする方がより望ましい。
【００８０】
（制御動作）
図８は、本実施の形態における、分割領域ＤＡ１〜ＤＡ４におけるデータの書き込みとバックライトの点滅のタイミング関係を示すタイミング図である。同図において、説明の都合上、分割領域ＤＡ１〜ＤＡ４はそれぞれ２行ずつ表示するＮ＝８の構成を示している。そして、分割領域ＤＡ１〜ＤＡ４に対応する分割バックライト２１〜２４よる発光／消灯動作を示している。なお、分割バックライト２１〜２４は実施の形態１では線発光源２１ａ〜２４ａに該当する。
【００８１】
同図に示すように、１フレーム期間ＴＦ１内において、行ｒ１と行ｒ８との間に生じる書き込みの遅延時間ＴＲ、及び書き込み応答時間Ｔｗが生じる。
【００８２】
本実施の形態では、液晶パネル５の領域を上下に４つに分割することで、例えば分割領域ＤＡ１では分割領域ＤＡ１内で最初に書き込む行ｒ１と最後に書き込む行ｒ２の時間差Ｔｒ１が、従来の遅延時間となる遅延時間ＴＲに比較して約1/4の時間（おおよそ1/4フレーム期間）に削減されている。
【００８３】
したがって、1/2フレーム期間の書き込み応答時間Ｔｗ(約8ms)の液晶パネル５の場合でも分割領域ＤＡ１には1/4フレーム期間（＝｛１−1/4（Ｔｒ１）−1/2（Ｔｗ）｝）程度の期間において全画素が目標透過率に落ち着いている時間を得ることが可能となる。
【００８４】
本実施の形態では、この全画素が目標透過率に落ち着いている時間を含む一定時間のみ、対応する分割領域の照明を担当する線発光源を点灯させている。例えば、図８の例で、分割領域ＤＡ１における行ｒ１，ｒ２が目標透過率に落ち着いてる期間ｔ１２において、線発光源２１ａを発光させている。
【００８５】
このような点滅表示を、図８に示すように、分割領域ＤＡ１〜ＤＡ４それぞれにおいて順番に繰り返し実施することで、結果としてインパルス型の発光表示を実現させることができる。
【００８６】
（バックライト点滅制御部）
図９はタイミングコントローラ２内におけるバックライト点滅制御部の回路構成を示す回路図である。同図に示すように、バックライト点滅制御部は４８０段の直列接続のＤフリップフロップＢＦＦ１〜ＢＦＦ４８０、４８０個のＡＮＤゲートＢＧ１〜ＢＧ４８０、ｋ段の直列接続のＤフリップフロップＥＦＦ１〜ＥＦＦｋ、ＡＮＤゲートＥＧ１、ＮＯＲゲートＥＧ２，ＥＧ３及びＤフリップフロップＬＦＦから構成される。
【００８７】
ＤフリップフロップＢＦＦ１〜ＢＦＦ４８０は共通に垂直転送クロックＶclkをクロック入力に受け、初段のＤフリップフロップＢＦＦ１のＤ入力に垂直スタート信号Ｖsを受け、ＤフリップフロップＢＦＦ１〜ＢＦＦ４８０のＱ出力がＡＮＤゲートＢＧ１〜ＢＧ４８０の一方入力に接続される。ＡＮＤゲートＢＧ１〜ＢＧ４８０の他方入力には垂直ドライブ信号Ｖdrvが共通に付与される。ＡＮＤゲートＢＧ４８０の出力信号Ｖout480が分割領域ＤＡ４の発光開始を指示するセット信号Ｓetとなる。
【００８８】
ＤフリップフロップＥＦＦ１〜ＥＦＦｋは共通に垂直転送クロックＶclkをクロック入力に受け、初段のＤフリップフロップＥＦＦ１のＤ入力にＤフリップフロップＢＦＦ４８０のＱ出力（Ｖs480）が接続される。そして、ＤフリップフロップＥＦＦｋのＱ出力がＡＮＤゲートＥＧ１の一方入力となる。ＡＮＤゲートＥＧ１は他方入力として垂直ドライブ信号Ｖdrvを受ける。このＡＮＤゲートＥＧ１の出力信号（Ｖs480＋ＤＬ）が発光終了を指示するクリア信号Ｃlearとなる。
【００８９】
ＮＯＲゲートＥＧ２は一方入力にＤフリップフロップＬＦＦのＱ出力を受け、他方入力にセット信号Ｓetを受ける。ＮＯＲゲートＥＧ３は一方入力にＮＯＲゲートＥＧ２の出力を受け、他方入力にクリア信号Ｃlearを受ける。ＤフリップフロップＬＦＦはＤ入力にＮＯＲゲートＥＧ３の出力を受け、垂直転送クロックＶclkをクロック入力に受け、Ｑ出力がバックライト用駆動回路１４に対するバックライト分割制御信号Ｂklon４となる。
【００９０】
バックライト分割制御信号Ｂklon４は、セット信号Ｓetの“Ｈ”立ち上がりに同期して“Ｈ”立ち上がり、クリア信号Ｃlearの“Ｈ”立ち上がりに同期して“Ｌ”に立ち下がる信号である。セット信号Ｓetの“Ｈ”立ち上がりタイミングは、ＤフリップフロップＢＦＦ４８０のＱ出力が“Ｈ”となるタイミングであり、クリア信号Ｃlearの“Ｈ”立ち上がりタイミングは、ＤフリップフロップＢＦＦ４８０のＱ出力の“Ｈ”立ち上がりから、ＤフリップフロップＥＦＦ１〜ＥＦＦｋを伝搬する遅延時間ＤＬ（ｋ×（Ｖclkの周期）相当）後に“Ｈ”となるタイミングである。
【００９１】
したがって、バックライト分割制御信号Ｂklon４はセット信号Ｓetの“Ｈ”から１垂直転送クロックＶclk分後に発光を指示する“Ｈ”となり、その後、遅延時間ＤＬ経過後に、消灯を指示する“Ｌ”となる。その結果、遅延時間ＤＬを適切に設定することにより、図８の線発光源２４ａの発光／消灯が実現可能なバックライト分割制御信号Ｂklon４をバックライト用駆動回路１４に出力することができる。
【００９２】
なお、バックライト分割制御信号Ｂklon１〜Ｂklon３については、図示省略しているが、バックライト分割制御信号Ｂklon４と同様に、セット信号Ｓet，クリア信号Ｃlearに相当する信号を、ＡＮＤゲートＢＧ１２０，ＢＧ２４０，ＢＧ３６０の出力Ｖout120，Ｖout240，及びＶout360並びにＤフリップフロップＢＦＦ１２０，ＢＦＦ２４０及びＢＦＦ３６０の出力の遅延信号(Ｖs120+DL)，(Ｖs240+DL)及び(Ｖs360+DL)に基づき生成させることにより実現できる。
【００９３】
（効果）
実施の形態１の液晶表示装置は上記のような構成を呈し、書き込み応答時間Ｔｗを有する画像データ書き込みに適合すべく図８に示すようなバックライト点灯制御処理を実施している。その結果、従来では得られなかった、点滅動作するバックライトの点灯中に対応する分割領域ＤＡの画素がすべて目標透過率を達成する時間帯を得ることが、従来と同性能の書き込み応答時間Ｔｗ（８ms程度）であっても実現することにより、インパルス型の表示方式による動作表示性能の向上を図ることができる。
【００９４】
加えて、線発光源２１ａ〜２４ａを左面(または右面)に上下に分割して配置することで、液晶パネル５及びバックライト手段からなる液晶モジュールの厚みを厚くすることを回避することができるため、装置の小型化に支障が生じることはない。
【００９５】
また、蛍光管等の線発光源を光源として用いることにより、比較的安価にバックライト照明を実現することができるという効果を奏する。
【００９６】
したがって、本実施の形態の液晶表示装置は、薄さが重要なノート型ＰＣ（パーソナルコンピュータ）、携帯電話、携帯ＴＶ/ＤＶＤ表示装置などへの適用を可能となさしめる効果を奏する。
【００９７】
また、実施の形態１では、タイミングコントローラ２にて、バックライト用駆動回路１１〜１４を制御することにより、液晶パネル５の回路構成をバックライト回路系のみ追加変更することで実現でき、ソースドライバ３、ゲートドライバ４周りの変更は最小で実現できるという効果を奏する。
【００９８】
＜実施の形態２＞
（全体構成）
実施の形態２の液晶表示装置において、全体構成については、図１〜図３で示した実施の形態１と同様である。
【００９９】
（バックライト構成）
図１０は実施の形態２の液晶表示装置におけるバックライト構成を示す説明図である。同図に示すように、透過型の液晶パネル５は実施の形態１と同様、Ｍ列×Ｎ行の画素で構成されている。
【０１００】
この液晶パネル５の背面には導光板９が密接されて載置され、その背面には反射板７が密接して載置されている。導光板９は、実施の形態１の導光板８と同様、側面(図１０では左右面)からの光を液晶モジュールと接する面(前後面)に拡散して導き、反対の側面(この場合上下面)方向にはあまり反射させないような性質を持たせている。
【０１０１】
実施の形態２においても、実施の形態１と同様、液晶パネル５は４つの分割領域ＤＡ１〜ＤＡ４に分けられており、これら分割領域ＤＡ１〜ＤＡ４に対応するように導光板９の両側面（左右面；液晶パネル５の前面から平面視して液晶パネル５の両側面）にそれぞれ上下に４つ並べて蛍光管等より構成される線発光源２１ａ〜２４ａ及び線発光源２１ｂ〜２４ｂを配置する。その結果、線発光源２１ａ〜２４ａ、線発光源２１ｂ〜２４ｂ、反射板７及び導光板９からなるバックライト手段は、液晶パネル５において対応する４つの分割領域ＤＡ１〜ＤＡ４に密接する前面にそれぞれなるべく均一に拡散して照射するように構成されている。
【０１０２】
すなわち、線発光源２１ａ，２１ｂより発光された光は分割領域ＤＡ１を照射し、線発光源２２ａ，２２ｂより発光された光は分割領域ＤＡ２を照射し、線発光源２３ａ，２３ｂより発光された光は分割領域ＤＡ３を照射し、線発光源２４ａ，２４ｂより発光された光は分割領域ＤＡ４を照射する。
【０１０３】
そして、線発光源２１ａ〜２４ａに対応してスイッチＳＷ１ａ〜ＳＷ４ａの一端が接続され、線発光源２１ｂ〜２４ｂに対応してスイッチＳＷ１ｂ〜ＳＷ４ｂの一端が接続され、スイッチＳＷ１ａ〜ＳＷ４ａ及びスイッチＳＷ１ｂ〜ＳＷ４ｂの他端が共通にバックライト電源６に接続される。すなわち、スイッチＳＷ１ａ〜ＳＷ４ａ及びスイッチＳＷ１ｂ〜ＳＷ４ｂのＯＮ／ＯＦＦにより、線発光源２１ａ〜２４ａ及び線発光源２１ｂ〜２４ｂを独立に点滅制御可能な構造になっている。これらスイッチＳＷ１ａ〜ＳＷ４ａ及びスイッチＳＷ１ｂ〜ＳＷ４ｂのＯＮ／ＯＦＦは、図１０では図示しないバックライト用駆動回路１１〜１４によって行われる。
【０１０４】
このように、実施の形態２において、液晶パネル５における上下方向に４つに分割された画面の分割領域ＤＡ１〜ＤＡ４は、スイッチＳＷ１ａ〜ＳＷ４ａ及びスイッチＳＷ１ｂ〜ＳＷ４ｂのＯＮ／ＯＦＦにより、線発光源２１ａ〜２４ａ及び線発光源２１ｂ〜２４ｂに対しそれぞれ独立にバックライトの点滅制御が実行できる構成になっている。
【０１０５】
（導光板）
図１１は実施の形態２の導光板９の断面構造を示す説明図である。図１１は、図５で示した反射板７のＡ−Ａ断面、あるいは、図６で示した反射板７のＣ−Ｃ断面に相当する。
【０１０６】
同図に示すように、導光板９全体は、左右を底辺として中心部を頂点とした２つの三角形の断面形状を呈しており、背面はのこぎり上の断面の反射面（図１１では図示せず）を有する反射板７が形成され左右からの光を前面に反射させるようになっている。なお、他の構造は、図５あるいは図６で示した反射板７と同様である。なお、反射板７ののこぎり状の断面（図５の(d)，図６の(d)参照）のみで左右からそれぞれ導かれた光を前面方向に反射可能であれば、図１１で示す断面を長方形状に形成してもよい。
【０１０７】
このような構造にすることで、４つの領域８ａ〜８ｄ間で光は透過せず、結果として４つの領域が独立に照明の点滅を制御可能になる。
【０１０８】
（制御動作）
実施の形態２の液晶表示装置の制御動作は、図８で示した実施の形態１の制御動作と同様に行われる。なお、分割バックライト２１〜２４は実施の形態２では線発光源２１ａ〜２４ａ及び線発光源２１ｂ〜２４ｂに該当する。
【０１０９】
（バックライト点滅制御部）
実施の形態２のバックライト点滅制御部は、図９で示した実施の形態１と同様な構成をタイミングコントローラ２内に設けることにより実現される。
【０１１０】
（効果）
実施の形態２の液晶表示装置は上記のような構成を呈することにより、実施の形態１と同様、点滅動作するバックライトの点灯中に対応する分割領域ＤＡの画素がすべて目標透過率を達成する時間帯を得ることが、従来と同性能の書き込み応答時間Ｔｗであっても実現することができる。
【０１１１】
加えて、線発光源２１ａ〜２４ａ及び線発光源２１ｂ〜２４ｂを導光板９の両側面にそれぞれ上下に分割して配置することで、透過型の液晶モジュールの厚みを厚くすることを回避することができるため、実施の形態１と同様、装置の小型化に支障が生じることはない。
【０１１２】
さらに、実施の形態２においては、線発光源２１ａ〜２４ａが導光板の１側面にあった実施の形態１に比較して２倍の明るさで上記効果を提供できるという利点もある。
【０１１３】
その結果、薄さが重要なノートＰＣ、携帯電話、携帯ＴＶ/ＤＶＤ表示装置などへ適用可能でかつ、その明るさを向上させることが可能となさしめる効果もある。また、場合によっては、据え置き型のＴＶ放送表示装置などの薄型化にも寄与可能と思われる。
【０１１４】
＜実施の形態３＞
（全体構成）
実施の形態３の液晶表示装置において、全体構成については、図１〜図３で示した実施の形態１と同様である。
【０１１５】
（バックライト構成）
図１２は実施の形態３の液晶表示装置におけるバックライト構成を示す説明図である。同図に示すように、透過型の液晶パネル５は実施の形態１と同様、Ｍ列×Ｎ行の画素で構成されている。
【０１１６】
この液晶パネル５の背面には、実施の形態２と同様に導光板９が密接されて載置され、その背面には反射板７が密接して載置されている。
【０１１７】
実施の形態３においても、実施の形態１と同様、液晶パネル５は４つの分割領域ＤＡ１〜ＤＡ４に分けられており、これら分割領域ＤＡ１〜ＤＡ４に対応するように導光板９の両側面（左右面；液晶パネル５の前面から平面視して液晶パネル５の両側面）にそれぞれ上下に２つ並べて蛍光管等より構成される線発光源２１ｃ〜２４ｃを配置する。即ち、図１２において、左面に線発光源２１ｃ、線発光源２３ｃを配置し、右面に線発光源２２ｃ及び線発光源２４ｃを配置する。
【０１１８】
その結果、線発光源２１ｃ〜２４ｃ、反射板７及び導光板９からなるバックライト手段は、液晶パネル５において対応する４つの分割領域ＤＡ１〜ＤＡ４に密接する前面にそれぞれなるべく均一に拡散して照射するように構成されている。
【０１１９】
すなわち、線発光源２１ｃより発光された光は分割領域ＤＡ１を照射し、線発光源２２ｃより発光された光は分割領域ＤＡ２を照射し、線発光源２３ｃより発光された光は分割領域ＤＡ３を照射し、線発光源２４ｃより発光された光は分割領域ＤＡ４を照射する。
【０１２０】
そして、線発光源２１ｃ〜２４ｃに対応してスイッチＳＷ１ｃ〜ＳＷ４ｃの一端が接続され、スイッチＳＷ１ｃ〜ＳＷ４ｃの他端が共通にバックライト電源６に接続される。すなわち、スイッチＳＷ１ｃ〜ＳＷ４ｃのＯＮ／ＯＦＦにより、線発光源２１ｃ〜２４ｃを独立に点滅制御可能な構造になっている。これらスイッチＳＷ１ｃ〜ＳＷ４ｃのＯＮ／ＯＦＦは、図１２では図示しないバックライト用駆動回路１１〜１４によって行われる。
【０１２１】
このように、実施の形態３において、液晶パネル５における上下方向に４つに分割された画面の分割領域ＤＡ１〜ＤＡ４は、スイッチＳＷ１ｃ〜ＳＷ４ｃのＯＮ／ＯＦＦにより、線発光源２１ｃ〜２４ｃに対しそれぞれ独立にバックライトの点滅制御が実行できる構成になっている。
【０１２２】
（導光板）
実施の形態３における導光板９は、実施の形態２の分割領域ＤＡ２，ＤＡ４の断面構造を左右逆にした構成を呈する。
【０１２３】
（制御動作）
実施の形態３の液晶表示装置の制御動作は、図８で示した実施の形態１の制御動作と同様に行われる。なお、分割バックライト２１〜２４は実施の形態３では線発光源２１ｃ〜２４ｃに該当する。
【０１２４】
（バックライト点滅制御部）
実施の形態３のバックライト点滅制御部は、図９で示した実施の形態１と同様な構成をタイミングコントローラ２内に設けることにより実現される。
【０１２５】
（効果）
実施の形態３の液晶表示装置は上記のような構成を呈することにより、実施の形態１と同様、点滅動作するバックライトの点灯中に対応する分割領域ＤＡの画素がすべて目標透過率を達成する時間帯を得ることが、従来と同性能の書き込み応答時間Ｔｗであっても実現することができる。
【０１２６】
加えて、線発光源２１ｃ〜２４ｃを導光板９の一側面に上下に分割して配置することで、透過型の液晶モジュールの厚みを厚くすることを回避することができるため、実施の形態１と同様、装置の小型化に支障が生じることはない。
【０１２７】
さらに、４つの線発光源２１ｃ〜２４ｃのうち、線発光源２１ｃ，２３ｃを導光板９の左側面に、線発光源２２ｃ，２４ｃを導光板９の右側面に２つずつ分散配置することにより、一側面に発熱が集中することなく、しかも、実施の形態１及び実施の形態２のように４つの線発光源２１ａ〜２４ａ等を上下に配置する場合に比べ、並べるための物理的な空間的な余裕を確保することで、シームレスな上下の光の照射を可能とすることができるという効果も奏する。
【０１２８】
その結果、薄さが重要なノートＰＣ、携帯電話、携帯ＴＶ/ＤＶＤ表示装置などへ適用可能で、かつ、線発光源の発光による発熱を導光板９の片側面に集中させることなく分散させ装置の筐体設計を安易にすることが可能となさしめる効果を奏する。
【０１２９】
＜実施の形態４＞
（全体構成）
実施の形態４の液晶表示装置において、全体構成については、図１〜図３で示した実施の形態１と同様である。
【０１３０】
（バックライト構成）
図１３は実施の形態４の液晶表示装置におけるバックライト構成を示す説明図である。同図に示すように、透過型の液晶パネル５は実施の形態１と同様、Ｍ列×Ｎ行の画素で構成されている。
【０１３１】
この液晶パネル５の背面には、白色ＬＥＤ等からなる４つの点発光源（群）２１ｄ〜２４ｄが液晶パネル５の上下方向に配置され、各点発光源２１ｄ〜２４ｄは横方向に延びて形成されている。これら点発光源２１ｄ〜２４ｄの背面には反射板７が密接して載置されている。
【０１３２】
実施の形態４においても、実施の形態１と同様、液晶パネル５は４つの分割領域ＤＡ１〜ＤＡ４に分けられており、これら分割領域ＤＡ１〜ＤＡ４に対応するように点発光源２１ｄ〜２４ｄが配置される。すなわち、図１３において、液晶パネル５の分割領域ＤＡ１〜ＤＡ４それぞれの真裏面に点発光源２１ｄ〜２４ｄが配置される。
【０１３３】
その結果、点発光源２１ｄ〜２４ｄ及び反射板７からなるバックライト手段は、液晶パネル５において対応する４つの分割領域ＤＡ１〜ＤＡ４に密接する前面に均一に拡散して照射するように構成される。
【０１３４】
すなわち、点発光源２１ｄより発光された光は分割領域ＤＡ１を照射し、点発光源２２ｄより発光された光は分割領域ＤＡ２を照射し、点発光源２３ｄより発光された光は分割領域ＤＡ３を照射し、点発光源２４ｄより発光された光は分割領域ＤＡ４を照射する。
【０１３５】
図１３では点発光源２１ｄ〜２４ｄはそれぞれは一列に横方向に並べて配置されたものが示されているが、同一分割領域に対応する同一群内において配置は複数列に分割された構造でも良い、また、アレイ状に構成されていてもよい。要は、４つの分割領域ＤＡ１〜ＤＡ４をそれぞれ照射する４組の白色ＬＥＤ等の点発光源群が分割領域ＤＡ１〜ＤＡ４と同様に上下に配置されていれば、同様の効果を呈する。
【０１３６】
そして、点発光源２１ｄ〜２４ｄに対応してスイッチＳＷ１〜ＳＷ４の一端が接続され、スイッチＳＷ１〜ＳＷ４の他端が共通にバックライト電源６に接続される。すなわち、スイッチＳＷ１〜ＳＷ４のＯＮ／ＯＦＦにより、点発光源２１ｄ〜２４ｄを独立に点滅制御可能な構造になっている。これらスイッチＳＷ１〜ＳＷ４のＯＮ／ＯＦＦは、図１３では図示しないバックライト用駆動回路１１〜１４によって行われる。
【０１３７】
このように、実施の形態４において、液晶パネル５における上下方向に４つに分割された画面の分割領域ＤＡ１〜ＤＡ４は、スイッチＳＷ１〜ＳＷ４のＯＮ／ＯＦＦにより、点発光源２１ｄ〜２４ｄに対しそれぞれ独立にバックライトの点滅制御が実行できる構成になっている。
【０１３８】
（制御動作）
実施の形態４の液晶表示装置の制御動作は、図８で示した実施の形態１の制御動作と同様に行われる。なお、分割バックライト２１〜２４は実施の形態４では点発光源２１ｄ〜２４ｄに該当する。
【０１３９】
（バックライト点滅制御部）
実施の形態４のバックライト点滅制御部は、図９で示した実施の形態１と同様な構成をタイミングコントローラ２内に設けることにより実現される。
【０１４０】
（効果）
実施の形態４の液晶表示装置は上記のような構成を呈することにより、実施の形態１と同様、点滅動作するバックライトの点灯中に対応する分割領域ＤＡの画素がすべて目標透過率を達成する時間帯を得ることが、従来と同性能の書き込み応答時間Ｔｗであっても実現することができる。
【０１４１】
さらに、点発光源２１ｄ〜２４ｄを液晶パネル５の背面に上下に分割して配置することで、高い輝度を得ながら、上記効果を提供できるという利点を有する。
【０１４２】
また、実施の形態１〜実施の形態３で用いた蛍光管等の線発光源から、白色ＬＥＤ群等の点発光源に変更することにより、点滅動作に対する発光源の動作寿命を延ばすことが実現できる効果を奏する。さらに、発光源自体の点滅の応答速度も向上可能で、より細かい時間での制御が可能となり、かつ、線発光源に比較して素子の大きさを小型にできることから、明るさを保ちつつ、装置を薄く製造できるという効果も奏する。
【０１４３】
その結果、輝度が重要な据え置き型の大型ＴＶ放送表示装置などへの適用可能となさしめ、さらに、装置の動作寿命を向上できるという効果も奏する。
【０１４４】
＜実施の形態５＞
（全体構成）
実施の形態５の液晶表示装置において、全体構成については、図１〜図３で示した実施の形態１と同様である。
【０１４５】
（バックライト構成）
図１４は実施の形態５の液晶表示装置におけるバックライト構成を示す説明図である。同図に示すように、透過型の液晶パネル５は実施の形態１と同様、Ｍ列×Ｎ行の画素で構成されている。
【０１４６】
この液晶パネル５の背面には実施の形態１と同様の導光板８が密接されて載置され、その背面には反射板７が密接して載置されている。
【０１４７】
実施の形態５においても、実施の形態１と同様、液晶パネル５は４つの分割領域ＤＡ１〜ＤＡ４に分けられており、これら分割領域ＤＡ１〜ＤＡ４に対応するように導光板８の側面（左面；液晶パネル５の前面から平面視して液晶パネル５の左側面）に上下に４つ並べて白色ＬＥＤ群等より構成される点発光源２１ｅ〜２４ｅを配置する。その結果、点発光源２１ｅ〜２４ｅ、反射板７及び導光板８からなるバックライト手段は、液晶パネル５において対応する４つの分割領域ＤＡ１〜ＤＡ４に密接する前面にそれぞれなるべく均一に拡散して照射するように構成されている。
【０１４８】
すなわち、点発光源２１ｅより発光された光は分割領域ＤＡ１を照射し、点発光源２２ｅより発光された光は分割領域ＤＡ２を照射し、点発光源２３ｅより発光された光は分割領域ＤＡ３を照射し、点発光源２４ｅより発光された光は分割領域ＤＡ４を照射する。
【０１４９】
そして、点発光源２１ｅ〜２４ｅに対応してスイッチＳＷ１〜ＳＷ４の一端が接続され、スイッチＳＷ１〜ＳＷ４の他端が共通にバックライト電源６に接続される。すなわち、スイッチＳＷ１〜ＳＷ４のＯＮ／ＯＦＦにより、点発光源２１ｅ〜２４ｅを独立に点滅制御可能な構造になっている。これらスイッチＳＷ１〜ＳＷ４のＯＮ／ＯＦＦは、図１４では図示しないバックライト用駆動回路１１〜１４によって行われる。
【０１５０】
このように、実施の形態５において、液晶パネル５における上下方向に４つに分割された画面の分割領域ＤＡ１〜ＤＡ４は、スイッチＳＷ１〜ＳＷ４のＯＮ／ＯＦＦにより、点発光源２１ｅ〜２４ｅに対しそれぞれ独立にバックライトの点滅制御が実行できる構成になっている。
【０１５１】
（導光板）
実施の形態５の導光板８は実施の形態１で示した導光板８と同様である。
【０１５２】
（制御動作）
実施の形態５の液晶表示装置の制御動作は、図８で示した実施の形態１の制御動作と同様に行われる。なお、分割バックライト２１〜２４は実施の形態５では点発光源２１ｅ〜２４ｅに該当する。
【０１５３】
（バックライト点滅制御部）
実施の形態５のバックライト点滅制御部は、図９で示した実施の形態１と同様な構成をタイミングコントローラ２内に設けることにより実現される。
【０１５４】
（効果）
実施の形態５の液晶表示装置は上記のような構成を呈することにより、実施の形態１と同様、点滅動作するバックライトの点灯中に対応する分割領域ＤＡの画素がすべて目標透過率を達成する時間帯を得ることが、従来と同性能の書き込み応答時間Ｔｗであっても実現することができる。
【０１５５】
加えて、点発光源２１ｅ〜２４ｅを側面に上下に分割して配置することで、透過型の液晶モジュールの厚みを厚くすることを回避することができるため、実施の形態１と同様、装置の小型化に支障が生じることはない。
【０１５６】
さらに、実施の形態４と同様に、バックライト照明として白色ＬＥＤ等の点発光源を用いることにより、点滅動作に対する発光源の動作寿命を延ばすことが実現できる効果を奏する。さらに、発光源自体の点滅の応答速度も向上可能で、より細かい時間での制御が可能となり、かつ、線発光源に比較して素子の大きさを小型にできることから、明るさを保ちつつ、装置を薄く製造できるという効果も奏する。
【０１５７】
その結果、輝度が重要な据え置き型の大型ＴＶ放送表示装置などへの適用可能となさしめ、さらに、装置の動作寿命を向上できるという効果も奏する。
【０１５８】
＜実施の形態６＞
（全体構成）
実施の形態６の液晶表示装置において、全体構成については、図１〜図３で示した実施の形態１と同様である。
【０１５９】
（バックライト構成）
図１５は実施の形態６の液晶表示装置におけるバックライト構成を示す説明図である。同図に示すように、透過型の液晶パネル５は実施の形態１と同様、Ｍ列×Ｎ行の画素で構成されている。
【０１６０】
この液晶パネル５の背面には実施の形態２と同様の導光板９が密接されて載置され、その背面には反射板７が密接して載置されている。
【０１６１】
実施の形態６においても、実施の形態１と同様、液晶パネル５は４つの分割領域ＤＡ１〜ＤＡ４に分けられており、これら分割領域ＤＡ１〜ＤＡ４に対応するように導光板９の両側面（左右面；液晶パネル５の前面から平面視して液晶パネル５の左右側面）にそれぞれ上下に４つ並べて白色ＬＥＤ，白色ＬＥＤ群等より構成される点発光源２１ｅ〜２４ｅ及び点発光源２１ｆ〜２４ｆを配置する。その結果、点発光源２１ｅ〜２４ｅ、点発光源２１ｆ〜２４ｆ、反射板７及び導光板９からなるバックライト手段は、液晶パネル５において対応する４つの分割領域ＤＡ１〜ＤＡ４に密接する前面にそれぞれなるべく均一に拡散して照射するように構成されている。
【０１６２】
すなわち、点発光源２１ｅ，２１ｆより発光された光は分割領域ＤＡ１を照射し、点発光源２２ｅ，２２ｆより発光された光は分割領域ＤＡ２を照射し、点発光源２３ｅ，２３ｆより発光された光は分割領域ＤＡ３を照射し、点発光源２４ｅ，２４ｆより発光された光は分割領域ＤＡ４を照射する。
【０１６３】
そして、点発光源２１ｅ〜２４ｅに対応してスイッチＳＷ１ａ〜ＳＷ４ａの一端が接続され、点発光源２１ｆ〜２４ｆに対応してスイッチＳＷ１ｂ〜ＳＷ４ｂの一端が接続され、スイッチＳＷ１ａ〜ＳＷ４ａ及びスイッチＳＷ１ｂ〜ＳＷ４ｂの他端が共通にバックライト電源６に接続される。すなわち、スイッチＳＷ１ａ〜ＳＷ４ａ及びスイッチＳＷ１ｂ〜ＳＷ４ｂのＯＮ／ＯＦＦにより、点発光源２１ｅ〜２４ｅ及び点発光源２１ｆ〜２４ｆを独立に点滅制御可能な構造になっている。これらスイッチＳＷ１ａ〜ＳＷ４ａ及びスイッチＳＷ１ｂ〜ＳＷ４ｂのＯＮ／ＯＦＦは、図１５では図示しないバックライト用駆動回路１１〜１４によって行われる。
【０１６４】
このように、実施の形態６において、液晶パネル５における上下方向に４つに分割された画面の分割領域ＤＡ１〜ＤＡ４は、スイッチＳＷ１ａ〜ＳＷ４ａ及びスイッチＳＷ１ｂ〜ＳＷ４ｂのＯＮ／ＯＦＦにより、点発光源２１ｅ〜２４ｅ及び点発光源２１ｆ〜２４ｆに対しそれぞれ独立にバックライトの点滅制御が実行できる構成になっている。
【０１６５】
（導光板）
実施の形態６の導光板９は実施の形態２で示した導光板９と同様である。
【０１６６】
（制御動作）
実施の形態６の液晶表示装置の制御動作は、図８で示した実施の形態１の制御動作と同様に行われる。なお、分割バックライト２１〜２４は実施の形態６では点発光源２１ｅ〜２４ｅ及び点発光源２１ｆ〜２４ｆに該当する。
【０１６７】
（バックライト点滅制御部）
実施の形態６のバックライト点滅制御部は、図９で示した実施の形態１と同様な構成をタイミングコントローラ２内に設けることにより実現される。
【０１６８】
（効果）
実施の形態６の液晶表示装置は上記のような構成を呈することにより、実施の形態１と同様、点滅動作するバックライトの点灯中に対応する分割領域ＤＡの画素がすべて目標透過率を達成する時間帯を得ることが、従来と同性能の書き込み応答時間Ｔｗであっても実現することができる。
【０１６９】
加えて、点発光源２１ｅ〜２４ｅを導光板９の両側面に上下に分割して配置することで、透過型の液晶モジュールの厚みを厚くすることを回避することができるため、実施の形態１と同様、装置の小型化に支障が生じることはない。
【０１７０】
さらに、実施の形態６においては、点発光源２１ｅ〜２４ｅが導光板の１側面にあった実施の形態５に比較して２倍の明るさで上記効果を提供できるという利点もある。
【０１７１】
その結果、薄さが重要なノートＰＣ、携帯電話、携帯ＴＶ/ＤＶＤ表示装置などへ適用可能でかつ、その明るさを向上させることが可能となさしめる効果もある。また、場合によっては、据え置き型のＴＶ放送表示装置などの薄型化にも寄与可能と思われる。
【０１７２】
さらに、実施の形態４と同様に、バックライト照明として白色ＬＥＤ等の点発光源を用いることにより、点滅動作に対する発光源の動作寿命を延ばすことが実現できる効果を奏する。さらに、発光源自体の点滅の応答速度も向上可能で、より細かい時間での制御が可能となり、かつ、線発光源に比較して素子の大きさを小型にできることから、明るさを保ちつつ、装置を薄く製造できるという効果も奏する。
【０１７３】
その結果、輝度が重要な据え置き型の大型ＴＶ放送表示装置などへの適用可能となさしめ、さらに、装置の動作寿命を向上できるという効果も奏する。
【０１７４】
＜実施の形態７＞
（全体構成）
実施の形態７の液晶表示装置において、全体構成については、図１〜図３で示した実施の形態１と同様である。
【０１７５】
（バックライト構成）
図１６は実施の形態７の液晶表示装置におけるバックライト構成を示す説明図である。同図に示すように、透過型の液晶パネル５は実施の形態１と同様、Ｍ列×Ｎ行の画素で構成されている。
【０１７６】
この液晶パネル５の背面には、実施の形態２と同様に導光板９が密接されて載置され、その背面には反射板７が密接して載置されている。
【０１７７】
実施の形態７においても、実施の形態１と同様、液晶パネル５は４つの分割領域ＤＡ１〜ＤＡ４に分けられており、これら分割領域ＤＡ１〜ＤＡ４に対応するように導光板９の両側面（左右面；液晶パネル５の前面から平面視して液晶パネル５の左右側面）にそれぞれ上下に２つ並べて白色ＬＥＤ等より構成される点発光源２１ｇ〜２４ｇを配置する。即ち、図１６において、左面に点発光源２１ｇ、点発光源２３ｇを配置し、右面に点発光源２２ｇ及び点発光源２４ｇを配置する。
【０１７８】
その結果、点発光源２１ｇ〜２４ｇ、反射板７及び導光板９からなるバックライト手段は、液晶パネル５において対応する４つの分割領域ＤＡ１〜ＤＡ４に密接する前面にそれぞれなるべく均一に拡散して照射するように構成されている。
【０１７９】
すなわち、点発光源２１ｇより発光された光は分割領域ＤＡ１を照射し、点発光源２２ｇより発光された光は分割領域ＤＡ２を照射し、点発光源２３ｇより発光された光は分割領域ＤＡ３を照射し、点発光源２４ｇより発光された光は分割領域ＤＡ４を照射する。
【０１８０】
そして、点発光源２１ｇ〜２４ｇに対応してスイッチＳＷ１ｃ〜ＳＷ４ｃの一端が接続され、スイッチＳＷ１ｃ〜ＳＷ４ｃの他端が共通にバックライト電源６に接続される。すなわち、スイッチＳＷ１ｃ〜ＳＷ４ｃのＯＮ／ＯＦＦにより、点発光源２１ｇ〜２４ｇを独立に点滅制御可能な構造になっている。これらスイッチＳＷ１ｃ〜ＳＷ４ｃのＯＮ／ＯＦＦは、図１６では図示しないバックライト用駆動回路１１〜１４によって行われる。
【０１８１】
このように、実施の形態７において、液晶パネル５における上下方向に４つに分割された画面の分割領域ＤＡ１〜ＤＡ４は、スイッチＳＷ１ｃ〜ＳＷ４ｃのＯＮ／ＯＦＦにより、点発光源２１ｇ〜２４ｇに対しそれぞれ独立にバックライトの点滅制御が実行できる構成になっている。
【０１８２】
（導光板）
実施の形態７における導光板９は、実施の形態３と同様な構成を呈する。
【０１８３】
（制御動作）
実施の形態７の液晶表示装置の制御動作は、図８で示した実施の形態１の制御動作と同様に行われる。なお、分割バックライト２１〜２４は実施の形態７では線発光源２１ｇ〜２４ｇに該当する。
【０１８４】
（バックライト点滅制御部）
実施の形態７のバックライト点滅制御部は、図９で示した実施の形態１と同様な構成をタイミングコントローラ２内に設けることにより実現される。
【０１８５】
（効果）
実施の形態７の液晶表示装置は上記のような構成を呈することにより、実施の形態１と同様、点滅動作するバックライトの点灯中に対応する分割領域ＤＡの画素がすべて目標透過率を達成する時間帯を得ることが、従来と同性能の書き込み応答時間Ｔｗであっても実現することができる。
【０１８６】
加えて、点発光源２１ｇ〜２４ｇを導光板９の両側面に上下に分割して配置することで、透過型の液晶モジュールの厚みを厚くすることを回避することができるため、実施の形態１と同様、装置の小型化に支障が生じることはない。
【０１８７】
さらに、４つの点発光源２１ｇ〜２４ｇのうち、点発光源２１ｇ，２３ｇを導光板９の左側面に、点発光源２２ｇ，２４ｇを導光板９の右側面に２つずつ分散配置することにより、一側面に発熱が集中することなく、しかも、実施の形態５及び実施の形態６のように４つの点発光源２１ａ〜２４ａ等を上下に配置する場合に比べ、並べるための物理的な空間的な余裕を確保することで、シームレスな上下の光の照射を可能とすることができるという効果も奏する。
【０１８８】
その結果、薄さが重要なノートＰＣ、携帯電話、携帯ＴＶ/ＤＶＤ表示装置などへ適用可能で、かつ、点発光源の発光による発熱を導光板９の片側面に集中させることなく分散させ装置の筐体設計を安易にすることが可能となさしめる効果を奏する。
【０１８９】
さらに、実施の形態４と同様に、バックライト照明として白色ＬＥＤ等の点発光源を用いることにより、点滅動作に対する発光源の動作寿命を延ばすことが実現できる効果を奏する。さらに、発光源自体の点滅の応答速度も向上可能で、より細かい時間での制御が可能となり、かつ、線発光源に比較して素子の大きさを小型にできることから、明るさを保ちつつ、装置を薄く製造できるという効果も奏する。
【０１９０】
その結果、輝度が重要な据え置き型の大型ＴＶ放送表示装置などへの適用可能となさしめ、さらに、装置の動作寿命を向上できるという効果も奏する。
【０１９１】
＜実施の形態８＞
（全体構成）
実施の形態８の液晶表示装置において、全体構成については、図１〜図３で示した実施の形態１と同様である。
【０１９２】
（バックライト構成）
図１７は実施の形態８の液晶表示装置におけるバックライト構成を示す説明図である。同図に示すように、透過型の液晶パネル５は実施の形態１と同様、Ｍ列×Ｎ行の画素で構成されている。
【０１９３】
この液晶パネル５の背面には、４つのＲＧＢ点発光源群４１〜４４が液晶パネル５の上下方向に配置され、各点発光源２１ｄ〜２４ｄは横方向に延びて形成されている。これら点発光源２１ｄ〜２４ｄの背面には反射板７が密接して載置されている。
【０１９４】
ＲＧＢ点発光源群４１〜４４はそれぞれ、拡大図に示すように、複数の赤色点発光源Ｒ２１、緑色点発光源Ｇ２１及び青色点発光源Ｂ２１から構成され、赤色点発光源Ｒ２１はＲ用電源線２７より電源供給を受け、緑色点発光源Ｇ２１はＧ用電源線２８より電源供給を受け、青色点発光源Ｂ２１はＢ用電源線２９より電源供給を受ける。
【０１９５】
実施の形態８においても、実施の形態１と同様、液晶パネル５は４つの分割領域ＤＡ１〜ＤＡ４に分けられており、これら分割領域ＤＡ１〜ＤＡ４に対応するようにＲＧＢ点発光源群４１〜４４が配置される。すなわち、図１７において、液晶パネル５の分割領域ＤＡ１〜ＤＡ４それぞれの真裏面にＲＧＢ点発光源群４１〜４４が配置される。
【０１９６】
その結果、ＲＧＢ点発光源群４１〜４４及び反射板７からなるバックライト手段は、液晶パネル５において対応する４つの分割領域ＤＡ１〜ＤＡ４に密接する前面に均一に拡散して照射するように構成される。
【０１９７】
すなわち、点発光源４１より発光された光は分割領域ＤＡ１を照射し、点発光源４２より発光された光は分割領域ＤＡ２を照射し、点発光源４３より発光された光は分割領域ＤＡ３を照射し、点発光源４４より発光された光は分割領域ＤＡ４を照射する。
【０１９８】
図１７ではＲＧＢ点発光源群４１〜４４はそれぞれは一列に横方向に、赤色点発光源Ｒ２１、緑色点発光源Ｇ２１及び青色点発光源Ｂ２１を交互に並べて配置されたものが示されているが、同一分割領域に対応する同一群内において配置は複数列に分割された構造でも良い、また、アレイ状に構成されていてもよい。要は、４つの分割領域ＤＡ１〜ＤＡ４をそれぞれ照射する４組のＲＧＢ点発光源群が分割領域ＤＡ１〜ＤＡ４と同様に上下に配置されていれば、同様の効果を呈する。
【０１９９】
また、図１７で示した例では、ＲＧＢのＬＥＤ等の点発光源の配置比率は１：１：１であるが光の発光効率との関係で目的の発光色(白色)を達成しやすい比率で配置されたものでもよく、同様の効果を呈する。
【０２００】
そして、ＲＧＢ点発光源群４１〜４４に対応してスイッチＳＷ１〜ＳＷ４の一端が接続され、スイッチＳＷ１〜ＳＷ４の他端が共通にバックライト電源６に接続される。正確には、スイッチＳＷ１〜ＳＷ４はそれぞれＲ用スイッチＲＳＷ１〜ＲＳＷ４、Ｇ用スイッチＧＳＷ１〜ＧＳＷ４及びＢ用スイッチＢＳＷ１〜ＢＳＷ４から構成される。
【０２０１】
すなわち、スイッチＳＷ１〜ＳＷ４のＯＮ／ＯＦＦにより、ＲＧＢ点発光源群４１〜４４を独立に点滅制御可能な構造になっている。これらスイッチＳＷ１〜ＳＷ４のＯＮ／ＯＦＦは、図１７では図示しないバックライト用駆動回路１１〜１４によって行われる。
【０２０２】
このように、実施の形態８において、液晶パネル５における上下方向に４つに分割された画面の分割領域ＤＡ１〜ＤＡ４は、スイッチＳＷ１〜ＳＷ４のＯＮ／ＯＦＦにより、ＲＧＢ点発光源群４１〜４４に対しそれぞれ独立にバックライトの点滅制御が実行できる構成になっている。
【０２０３】
（制御動作）
実施の形態８の液晶表示装置の制御動作は、図８で示した実施の形態１の制御動作と同様に行われる。なお、分割バックライト２１〜２４は実施の形態８ではＲＧＢ点発光源群４１〜４４に該当する。
【０２０４】
（バックライト点滅制御部）
実施の形態８のバックライト点滅制御部は、図９で示した実施の形態１と同様な構成をタイミングコントローラ２内に設けることにより実現される。
【０２０５】
（効果）
実施の形態８の液晶表示装置は上記のような構成を呈することにより、実施の形態１と同様、点滅動作するバックライトの点灯中に対応する分割領域ＤＡの画素がすべて目標透過率を達成する時間帯を得ることが、従来と同性能の書き込み応答時間Ｔｗであっても実現することができる。
【０２０６】
さらに、ＲＧＢ点発光源群４１〜４４を液晶パネル５の背面に上下に分割して配置することで、高い輝度を得ながら、上記効果を提供できるという利点を有する。
【０２０７】
また、実施の形態１〜実施の形態３で用いた蛍光管等の線発光源から、赤色点発光源等の点発光源に変更することにより、点滅動作に対する発光源の動作寿命を延ばすことが実現できる効果を奏する。さらに、発光源自体の点滅の応答速度も向上可能で、より細かい時間での制御が可能となり、かつ、線発光源に比較して素子の大きさを小型にできることから、明るさを保ちつつ、装置を薄く製造できるという効果も奏する。
【０２０８】
その結果、輝度が重要な据え置き型の大型ＴＶ放送表示装置などへの適用可能となさしめ、さらに、装置の動作寿命を向上できるという効果も奏する。
【０２０９】
さらに、実施の形態８では、３色独立な点発光源からなるＲＧＢ点発光源群を用いることにより、ＲＧＢの各色の色の交じりが抑えられ、結果としてより純度の高い色合いの提供を実現することが可能である。
【０２１０】
以下、純度の高い色合いの提供が可能となった効果について詳述する。図１８は通常の白色光をバックライトとした場合に赤色表示する例を示すグラフである。
【０２１１】
図１８に示すように、バックライトとして白色の蛍光灯等を使用した場合、発光スペクトラムは、同図の(a)に示すように、白色雑音といわれる分布で、どの周波数帯も一様な輝度を持つ特性で、結果として白色に見えている。この光から赤色発光を取り出すには、同図の(b)で示す透過率特性を有する赤色の領域の光のみ透過するフィルターを使う。当該フィルターは一般には赤色光の周波数領域を中心にある幅を持った周波数の光を透過させる特性を持つ。
【０２１２】
したがって、同図の(b)の特性を有するフィルターで同図の(a)の特性を有する白色光を透過させて得られる赤色光は、同図の(c)に示すように、赤色の発光周波数を中心に周波数軸に幅をもった光となる。色の純度とはこの赤色光の周波数以外の周波数の色が如何に少ないかという意味であるため、通常の白色光をバックライトとして得られた赤色光は純色に比較すると純度が低くなる。
【０２１３】
図１９はＲＧＢ点発光源群をバックライトした場合に赤色表示する例を示すグラフである。同図の(a)に示すように、赤色点発光源Ｒ２１、緑色点発光源Ｇ２１、及び青色点発光源Ｂ２１を一度に発光させると、白色に見えることが知られている。
【０２１４】
したがって、純度の高い赤、青、緑の発光灯（LED等）からなる赤色点発光源Ｒ２１、緑色点発光源Ｇ２１及び青色点発光源Ｂ２１を点灯させると結果として、白色のバックライトが得られる。
【０２１５】
ここで、図１８の例と同様に、同図の(b)で示す透過光スペクトラム特性を持つな赤色フィルタを使って、赤色光を取り出すと、同図の(c)に示すように、取り出された赤色光は、元の赤色LED等の赤色点発光源Ｒ２１の発光スペクトラム特性と同等の純度の高い赤色光になる。
【０２１６】
このように、実施の形態８はバックライト光としてＲＧＢ点発光源群を用いることにより、純度の高い色合いが得られる効果を奏する。
【０２１７】
また、ＲＧＢ各色で独立に制御可能なスイッチ（Ｒ用スイッチＲＳＷ１，緑色スイッチＧＳＷ１，青色スイッチＢＳＷ１等）を設けることにより、各色の点灯時間を微妙に調整できる。したがって、色温度の調整(白色の色合い)が可能になっている。また同時に、各色で電源系を分割することで、電源電圧を制御して色温度を調整をすることも可能にしている。
【０２１８】
その結果、実施の形態８の液晶表示装置においては、輝度が重要な据え置き型の大型ＴＶ放送表示装置などへの適用を可能となさしめ、さらに、色合い制御できかつ装置の動作寿命を向上できるという効果を奏する。ただし、ＲＧＢ個別制御すべく、図８で示した制御動作をさらに細分化した制御動作を行う必要がある。
【０２１９】
本実施の形態では、ＲＧＢの各色毎にスイッチを独立に設ける例を示したが、３色まとめて共用のスイッチを設ける構造でもよく。この場合は、色温度の調整こそできないが、シンプルな構造でインパルス発光を提供するという本質的な効果を発揮することができる。
【０２２０】
＜実施の形態９＞
（全体構成）
実施の形態９の液晶表示装置において、全体構成については、図１〜図３で示した実施の形態１と同様である。
【０２２１】
（バックライト構成）
図２０は実施の形態９の液晶表示装置におけるバックライト構成を示す説明図である。同図に示すように、透過型の液晶パネル５は実施の形態１と同様、Ｍ列×Ｎ行の画素で構成されている。
【０２２２】
この液晶パネル５の背面には実施の形態１と同様の導光板８が密接されて載置され、その背面には反射板７が密接して載置されている。
【０２２３】
実施の形態９においても、実施の形態１と同様、液晶パネル５は４つの分割領域ＤＡ１〜ＤＡ４に分けられており、これら分割領域ＤＡ１〜ＤＡ４に対応するように導光板８の側面（左面；液晶パネル５の前面から平面視して液晶パネル５の左側面））に上下に４つ並べて、ＲＧＢ点発光源群４１ａ〜４４ａを配置する。
【０２２４】
なお、ＲＧＢ点発光源群４１ａは、赤色点発光源Ｒ２１ａ、緑色点発光源Ｇ２１ａ及び青色点発光源Ｂ２１ａにより構成され、ＲＧＢ点発光源群４２ａは、赤色点発光源Ｒ２２ａ、緑色点発光源Ｇ２２ａ及び青色点発光源Ｂ２２ａにより構成され、ＲＧＢ点発光源群４３ａは、赤色点発光源Ｒ２３ａ、緑色点発光源Ｇ２３ａ及び青色点発光源Ｂ２３ａにより構成され、ＲＧＢ点発光源群４４ａは、赤色点発光源Ｒ２４ａ、緑色点発光源Ｇ２４ａ及び青色点発光源Ｂ２４ａにより構成される。
【０２２５】
その結果、ＲＧＢ点発光源群４１ａ〜４４ａ、反射板７及び導光板８からなるバックライト手段は、液晶パネル５において対応する４つの分割領域ＤＡ１〜ＤＡ４に密接する前面にそれぞれなるべく均一に拡散して照射するように構成されている。
【０２２６】
すなわち、ＲＧＢ点発光源群４１ａより発光された光は分割領域ＤＡ１を照射し、ＲＧＢ点発光源群４２ａより発光された光は分割領域ＤＡ２を照射し、ＲＧＢ点発光源群４３ａより発光された光は分割領域ＤＡ３を照射し、ＲＧＢ点発光源群４４ａより発光された光は分割領域ＤＡ４を照射する。
【０２２７】
そして、ＲＧＢ点発光源群４１ａ〜４４ａに対応してスイッチＳＷ１〜ＳＷ４の一端が接続され、スイッチＳＷ１〜ＳＷ４の他端が共通にバックライト電源６に接続される。なお、スイッチＳＷ１〜ＳＷ４はそれぞれＲ用スイッチＲＳＷ１〜ＲＳＷ４、Ｇ用スイッチＧＳＷ１〜ＧＳＷ４及びＢ用スイッチＢＳＷ１〜ＢＳＷ４から構成される。これらのスイッチは個々に独立制御可能である。
【０２２８】
したがって、スイッチＳＷ１〜ＳＷ４のＯＮ／ＯＦＦにより、ＲＧＢ点発光源群４１ａ〜４４ａを独立に点滅制御可能な構造になっている。これらスイッチＳＷ１〜ＳＷ４のＯＮ／ＯＦＦは、図２０では図示しないバックライト用駆動回路１１〜１４によって行われる。
【０２２９】
このように、実施の形態９において、液晶パネル５における上下方向に４つに分割された画面の分割領域ＤＡ１〜ＤＡ４は、スイッチＳＷ１〜ＳＷ４のＯＮ／ＯＦＦにより、ＲＧＢ点発光源群４１ａ〜４４ａに対しそれぞれ独立にバックライトの点滅制御が実行できる構成になっている。
【０２３０】
（導光板）
実施の形態９の導光板８は実施の形態１で示した導光板８と同様である。
【０２３１】
（制御動作）
実施の形態９の液晶表示装置の制御動作は、図８で示した実施の形態１の制御動作と同様に行われる。なお、分割バックライト２１〜２４は実施の形態９ではＲＧＢ点発光源群４１ａ〜４４ａに該当する。
【０２３２】
（バックライト点滅制御部）
実施の形態９のバックライト点滅制御部は、図９で示した実施の形態１と同様な構成をタイミングコントローラ２内に設けることにより実現される。
【０２３３】
（効果）
実施の形態９の液晶表示装置は上記のような構成を呈することにより、実施の形態１と同様、点滅動作するバックライトの点灯中に対応する分割領域ＤＡの画素がすべて目標透過率を達成する時間帯を得ることが、従来と同性能の書き込み応答時間Ｔｗであっても実現することができる。
【０２３４】
加えて、ＲＧＢ点発光源群４１ａ〜４４ａを導光板８の側面に上下に分割して配置することで、透過型の液晶モジュールの厚みを厚くすることを回避することができるため、実施の形態１と同様、装置の小型化に支障が生じることはない。
【０２３５】
さらに、実施の形態４と同様に、バックライト照明として赤色点発光源、緑色点発光源及び青色点発光源等の点発光源を用いることにより、点滅動作に対する発光源の動作寿命を延ばすことが実現できる効果を奏する。さらに、発光源自体の点滅の応答速度も向上可能で、より細かい時間での制御が可能となり、かつ、線発光源に比較して素子の大きさを小型にできることから、明るさを保ちつつ、装置を薄く製造できるという効果も奏する。
【０２３６】
その結果、輝度が重要な据え置き型の大型ＴＶ放送表示装置などへの適用可能となさしめ、さらに、装置の動作寿命を向上できるという効果も奏する。
【０２３７】
さらに、実施の形態９では、実施の形態８と同様、３色独立な点発光源からなるＲＧＢ点発光源群を用いることにより、ＲＧＢの各色の色の交じりが抑えられ、結果としてより純度の高い色合いの提供を実現することが可能である。
【０２３８】
また、実施の形態８と同様、ＲＧＢ各色で独立に制御可能なスイッチを設けることにより、各色の点灯時間を微妙に調整でき、色温度の調整が可能になっている。また同時に、各色で電源系を分割することで、電源電圧を制御して色温度を調整をすることも可能にしている。
【０２３９】
その結果、実施の形態９の液晶表示装置においては、輝度が重要な据え置き型の大型ＴＶ放送表示装置などへの適用を可能となさしめ、さらに、色合い制御できかつ装置の動作寿命を向上できるという効果を奏する。ただし、ＲＧＢ個別制御すべく、図８で示した制御動作をさらに細分化した制御動作を行う必要がある。
【０２４０】
上記のように、実施の形態９の液晶表示装置は、薄さが重要なノートＰＣとか携帯電話、携帯ＴＶ/ＤＶＤ表示装置などへの適用を可能となさしめる効果と同時に更なる装置の小型軽量化、超寿命化に寄与可能となるうえ、色合い(色温度)の調整も可能でより、豊富な機能を最終ユーザに提供可能にする効果を奏する。
【０２４１】
本実施の形態では、ＲＧＢの各色毎にスイッチを独立に設ける例を示したが、３色まとめて共用のスイッチを設ける構造でもよく。この場合は、色温度の調整こそできないが、シンプルな構造でインパルス発光を提供するという本質的な効果を発揮することができる。
【０２４２】
＜実施の形態１０＞
（全体構成）
実施の形態１０の液晶表示装置において、全体構成については、図１〜図３で示した実施の形態１と同様である。
【０２４３】
（バックライト構成）
図２１は実施の形態１０の液晶表示装置におけるバックライト構成を示す説明図である。同図に示すように、透過型の液晶パネル５は実施の形態１と同様、Ｍ列×Ｎ行の画素で構成されている。
【０２４４】
この液晶パネル５の背面には実施の形態２と同様の導光板９が密接されて載置され、その背面には反射板７が密接して載置されている。
【０２４５】
実施の形態１０においても、実施の形態１と同様、液晶パネル５は４つの分割領域ＤＡ１〜ＤＡ４に分けられており、これら分割領域ＤＡ１〜ＤＡ４に対応するように導光板９の両側面（左右面；液晶パネル５の前面から平面視して液晶パネル５の左右側面））にそれぞれ上下に４つ並べて、ＲＧＢ点発光源群４１ａ〜４４ａ及びＲＧＢ点発光源群４１ｂ〜４４ｂを配置する。
【０２４６】
なお、ＲＧＢ点発光源群４１ａは、赤色点発光源Ｒ２１ａ、緑色点発光源Ｇ２１ａ及び青色点発光源Ｂ２１ａにより構成され、ＲＧＢ点発光源群４２ａは、赤色点発光源Ｒ２２ａ、緑色点発光源Ｇ２２ａ及び青色点発光源Ｂ２２ａにより構成され、ＲＧＢ点発光源群４３ａは、赤色点発光源Ｒ２３ａ、緑色点発光源Ｇ２３ａ及び青色点発光源Ｂ２３ａにより構成され、ＲＧＢ点発光源群４４ａは、赤色点発光源Ｒ２４ａ、緑色点発光源Ｇ２４ａ及び青色点発光源Ｂ２４ａにより構成される。
【０２４７】
また、ＲＧＢ点発光源群４１ｂは、赤色点発光源Ｒ２１ｂ、緑色点発光源Ｇ２１ｂ及び青色点発光源Ｂ２１ｂにより構成され、ＲＧＢ点発光源群４２ｂは、赤色点発光源Ｒ２２ｂ、緑色点発光源Ｇ２２ｂ及び青色点発光源Ｂ２２ｂにより構成され、ＲＧＢ点発光源群４３ｂは、赤色点発光源Ｒ２３ｂ、緑色点発光源Ｇ２３ｂ及び青色点発光源Ｂ２３ｂにより構成され、ＲＧＢ点発光源群４４ｂは、赤色点発光源Ｒ２４ｂ、緑色点発光源Ｇ２４ｂ及び青色点発光源Ｂ２４ｂにより構成される。
【０２４８】
その結果、ＲＧＢ点発光源群４１ａ〜４４ａ、ＲＧＢ点発光源群４１ｂ〜４４ｂ、反射板７及び導光板９からなるバックライト手段は、液晶パネル５において対応する４つの分割領域ＤＡ１〜ＤＡ４に密接する前面にそれぞれなるべく均一に拡散して照射するように構成されている。
【０２４９】
すなわち、ＲＧＢ点発光源群４１ａ，４１ｂより発光された光は分割領域ＤＡ１を照射し、ＲＧＢ点発光源群４２ａ，４２ｂより発光された光は分割領域ＤＡ２を照射し、ＲＧＢ点発光源群４３ａ，４３ｂより発光された光は分割領域ＤＡ３を照射し、ＲＧＢ点発光源群４４ａ，４４ｂより発光された光は分割領域ＤＡ４を照射する。
【０２５０】
そして、ＲＧＢ点発光源群４１ａ〜４４ａに対応してスイッチＳＷ１ａ〜ＳＷ４ａの一端が接続され、ＲＧＢ点発光源群４１ｂ〜４４ｂに対応してスイッチＳＷ１ｂ〜ＳＷ４ｂの一端が接続され、スイッチＳＷ１ａ〜ＳＷ４ａ及びスイッチＳＷ１ｂ〜ＳＷ４ｂの他端が共通にバックライト電源６に接続される。
【０２５１】
なお、スイッチＳＷ１ａ〜ＳＷ４ａはそれぞれＲ用スイッチＲＳＷ１ａ〜ＲＳＷ４ａ、Ｇ用スイッチＧＳＷ１ａ〜ＧＳＷ４ａ及びＢ用スイッチＢＳＷ１ａ〜ＢＳＷ４ａから構成され、スイッチＳＷ１ｂ〜ＳＷ４ｂはそれぞれＲ用スイッチＲＳＷ１ｂ〜ＲＳＷ４ｂ、Ｇ用スイッチＧＳＷ１ｂ〜ＧＳＷ４ｂ及びＢ用スイッチＢＳＷ１ｂ〜ＢＳＷ４ｂから構成される。また、これらのスイッチは個々に独立制御可能である。
【０２５２】
したがって、スイッチＳＷ１ａ〜ＳＷ４ａ及びスイッチＳＷ１ｂ〜ＳＷ４ｂのＯＮ／ＯＦＦにより、ＲＧＢ点発光源群４１ａ〜４４ａ及びＲＧＢ点発光源群４１ｂ〜４４ｂを独立に点滅制御可能な構造になっている。これらスイッチＳＷ１ａ〜ＳＷ４ａ及びスイッチＳＷ１ｂ〜ＳＷ４ｂのＯＮ／ＯＦＦは、図２１では図示しないバックライト用駆動回路１１〜１４によって行われる。
【０２５３】
このように、実施の形態１０において、液晶パネル５における上下方向に４つに分割された画面の分割領域ＤＡ１〜ＤＡ４は、スイッチＳＷ１ａ〜ＳＷ４ａ及びスイッチＳＷ１ｂ〜ＳＷ４ｂのＯＮ／ＯＦＦにより、ＲＧＢ点発光源群４１ａ〜４４ａ及びＲＧＢ点発光源群４１ｂ〜４４ｂに対しそれぞれ独立にバックライトの点滅制御が実行できる構成になっている。
【０２５４】
（導光板）
実施の形態１０の導光板９は実施の形態２で示した導光板９と同様である。
【０２５５】
（制御動作）
実施の形態１０の液晶表示装置の制御動作は、図８で示した実施の形態１の制御動作と同様に行われる。なお、分割バックライト２１〜２４は実施の形態１０ではＲＧＢ点発光源群４１ａ〜４４ａ及びＲＧＢ点発光源群４１ｂ〜４４ｂに該当する。
【０２５６】
（バックライト点滅制御部）
実施の形態１０のバックライト点滅制御部は、図９で示した実施の形態１と同様な構成をタイミングコントローラ２内に設けることにより実現される。
【０２５７】
（効果）
実施の形態１０の液晶表示装置は上記のような構成を呈することにより、実施の形態１と同様、点滅動作するバックライトの点灯中に対応する分割領域ＤＡの画素がすべて目標透過率を達成する時間帯を得ることが、従来と同性能の書き込み応答時間Ｔｗであっても実現することができる。
【０２５８】
加えて、ＲＧＢ点発光源群４１ａ〜４４ａ及びＲＧＢ点発光源群４１ｂ〜４４ｂを両側面それぞれに上下に分割して配置することで、透過型の液晶モジュールの厚みを厚くすることを回避することができるため、実施の形態１と同様、装置の小型化に支障が生じることはない。
【０２５９】
さらに、実施の形態１０では、バックライト照明としてＲＧＢ点発光源群を用いることにより、点滅動作に対する発光源の動作寿命を延ばすことが実現できる効果を奏する。さらに、発光源自体の点滅の応答速度も向上可能で、より細かい時間での制御が可能となり、かつ、線発光源に比較して素子の大きさを小型にできることから、明るさを保ちつつ、装置を薄く製造できるという効果も奏する。
【０２６０】
その結果、輝度が重要な据え置き型の大型ＴＶ放送表示装置などへの適用可能となさしめ、さらに、装置の動作寿命を向上できるという効果も奏する。
【０２６１】
加えて、実施の形態１０においては、ＲＧＢ点発光源群４１ａ〜４４ａが１側面にあった実施の形態９に比較して２倍の明るさで上記効果を提供できるという利点もある。
【０２６２】
その結果、薄さが重要なノートＰＣ、携帯電話、携帯ＴＶ/ＤＶＤ表示装置などへ適用可能でかつ、その明るさを向上させることが可能となさしめる効果もある。また、場合によっては、据え置き型のＴＶ放送表示装置などの薄型化にも寄与可能と思われる。
【０２６３】
さらに、実施の形態１０では、実施の形態８と同様、３色独立な点発光源からなるＲＧＢ点発光源群を用いることにより、ＲＧＢの各色の色の交じりが抑えられ、結果としてより純度の高い色合いの提供を実現することが可能である。
【０２６４】
また、実施の形態８と同様、ＲＧＢ各色で独立に制御可能なスイッチを設けることにより、各色の点灯時間を微妙に調整でき、色温度の調整が可能になっている。また同時に、各色で電源系を分割することで、電源電圧を制御して色温度を調整をすることも可能にしている。
【０２６５】
その結果、実施の形態１０の液晶表示装置においては、輝度が重要な据え置き型の大型ＴＶ放送表示装置などへの適用を可能となさしめ、さらに、色合い制御できかつ装置の動作寿命を向上できるという効果を奏する。ただし、ＲＧＢ個別制御すべく、図８で示した制御動作をさらに細分化した制御動作を行う必要がある。
【０２６６】
上記のように、実施の形態１０の液晶表示装置は、薄さが重要なノートＰＣとか携帯電話、携帯ＴＶ/ＤＶＤ表示装置などへの適用を可能となさしめる効果と同時に更なる装置の小型軽量化、超寿命化に寄与可能となるうえ、色合い(色温度)の調整も可能でより、豊富な機能を最終ユーザに提供可能にする効果を奏する。
【０２６７】
本実施の形態では、ＲＧＢの各色毎にスイッチを独立に設ける例を示したが、３色まとめて共用のスイッチを設ける構造でもよい。この場合は、色温度の調整こそできないが、シンプルな構造でインパルス発光を提供するという本質的な効果を発揮することができる。
【０２６８】
＜実施の形態１１＞
（全体構成）
実施の形態１１の液晶表示装置において、全体構成については、図１〜図３で示した実施の形態１と同様である。
【０２６９】
（バックライト構成）
図２２は実施の形態１１の液晶表示装置におけるバックライト構成を示す説明図である。同図に示すように、透過型の液晶パネル５は実施の形態１と同様、Ｍ列×Ｎ行の画素で構成されている。
【０２７０】
この液晶パネル５の背面には、実施の形態２と同様に導光板９が密接されて載置され、その背面には反射板７が密接して載置されている。
【０２７１】
実施の形態１１においても、実施の形態１と同様、液晶パネル５は４つの分割領域ＤＡ１〜ＤＡ４に分けられており、これら分割領域ＤＡ１〜ＤＡ４に対応するように導光板９の両側面（左右面；液晶パネル５の前面から平面視して液晶パネル５の左右側面））にそれぞれ上下に２つ並べてＲＧＢ点発光源群４１ｃ〜４４ｃを配置する。即ち、図２２において、左面にＲＧＢ点発光源群４１ｃ、ＲＧＢ点発光源群４３ｃを配置し、右面にＲＧＢ点発光源群４２ｃ及びＲＧＢ点発光源群４４ｃを配置する。
【０２７２】
なお、ＲＧＢ点発光源群４１ｃは、赤色ＲＧＢ点発光源群Ｒ２１ｃ、緑色ＲＧＢ点発光源群Ｇ２１ｃ及び青色ＲＧＢ点発光源群Ｂ２１ｃにより構成され、ＲＧＢ点発光源群４２ｃは、赤色ＲＧＢ点発光源群Ｒ２２ｃ、緑色ＲＧＢ点発光源群Ｇ２２ｃ及び青色ＲＧＢ点発光源群Ｂ２２ｃにより構成され、ＲＧＢ点発光源群４３ｃは、赤色ＲＧＢ点発光源群Ｒ２３ｃ、緑色ＲＧＢ点発光源群Ｇ２３ｃ及び青色ＲＧＢ点発光源群Ｂ２３ｃにより構成され、ＲＧＢ点発光源群４４ｃは、赤色ＲＧＢ点発光源群Ｒ２４ｃ、緑色ＲＧＢ点発光源群Ｇ２４ｃ及び青色ＲＧＢ点発光源群Ｂ２４ｃにより構成される。
【０２７３】
その結果、ＲＧＢ点発光源群４１ｃ〜４４ｃ、反射板７及び導光板９からなるバックライト手段は、液晶パネル５において対応する４つの分割領域ＤＡ１〜ＤＡ４に密接する前面にそれぞれなるべく均一に拡散して照射するように構成されている。
【０２７４】
すなわち、ＲＧＢ点発光源群４１ｃより発光された光は分割領域ＤＡ１を照射し、ＲＧＢ点発光源群４２ｃより発光された光は分割領域ＤＡ２を照射し、ＲＧＢ点発光源群４３ｃより発光された光は分割領域ＤＡ３を照射し、ＲＧＢ点発光源群４４ｃより発光された光は分割領域ＤＡ４を照射する。
【０２７５】
そして、ＲＧＢ点発光源群４１ｃ〜４４ｃに対応してスイッチＳＷ１ｃ〜ＳＷ４ｃの一端が接続され、スイッチＳＷ１ｃ〜ＳＷ４ｃの他端が共通にバックライト電源６に接続される。なお、スイッチＳＷ１ｃ〜ＳＷ４ｃはそれぞれＲ用スイッチＲＳＷ１ｃ〜ＲＳＷ４ｃ、Ｇ用スイッチＧＳＷ１ｃ〜ＧＳＷ４ｃ及びＢ用スイッチＢＳＷ１ｃ〜ＢＳＷ４ｃから構成される。また、これらのスイッチは個々に独立制御可能である。
【０２７６】
すなわち、スイッチＳＷ１ｃ〜ＳＷ４ｃのＯＮ／ＯＦＦにより、ＲＧＢ点発光源群４１ｃ〜４４ｃを独立に点滅制御可能な構造になっている。これらスイッチＳＷ１ｃ〜ＳＷ４ｃのＯＮ／ＯＦＦは、図２２では図示しないバックライト用駆動回路１１〜１４によって行われる。
【０２７７】
このように、実施の形態１１において、液晶パネル５における上下方向に４つに分割された画面の分割領域ＤＡ１〜ＤＡ４は、スイッチＳＷ１ｃ〜ＳＷ４ｃのＯＮ／ＯＦＦにより、ＲＧＢ点発光源群４１ｃ〜４４ｃに対しそれぞれ独立にバックライトの点滅制御が実行できる構成になっている。
【０２７８】
（導光板）
実施の形態１１における導光板９は、実施の形態３と同様な構成を呈する。
【０２７９】
（制御動作）
実施の形態１１の液晶表示装置の制御動作は、図８で示した実施の形態１の制御動作と同様に行われる。なお、分割バックライト２１〜２４は実施の形態１１ではＲＧＢ点発光源群４１ｃ〜４４ｃに該当する。
【０２８０】
（バックライト点滅制御部）
実施の形態１１のバックライト点滅制御部は、図９で示した実施の形態１と同様な構成をタイミングコントローラ２内に設けることにより実現される。
【０２８１】
（効果）
実施の形態１１の液晶表示装置は上記のような構成を呈することにより、実施の形態１と同様、点滅動作するバックライトの点灯中に対応する分割領域ＤＡの画素がすべて目標透過率を達成する時間帯を得ることが、従来と同性能の書き込み応答時間Ｔｗであっても実現することができる。
【０２８２】
加えて、ＲＧＢ点発光源群４１ｃ〜４４ｃを一側面に上下に分割して配置することで、透過型の液晶モジュールの厚みを厚くすることを回避することができるため、実施の形態１と同様、装置の小型化に支障が生じることはない。
【０２８３】
さらに、４つのＲＧＢ点発光源群４１ｃ〜４４ｃのうち、ＲＧＢ点発光源群４１ｃ，４３ｃを左側面に、ＲＧＢ点発光源群４２ｃ，４４ｃを右側面に２つずつ分散配置することにより、一側面に発熱が集中することなく、しかも、実施の形態９及び実施の形態１０のように４つのＲＧＢ点発光源群２１ａ〜２４ａ等を上下に配置する場合に比べ、並べるための物理的な空間的な余裕を確保することで、シームレスな上下の光の照射を可能とすることができるという効果も奏する。
【０２８４】
その結果、薄さが重要なノートＰＣ、携帯電話、携帯ＴＶ/ＤＶＤ表示装置などへ適用可能で、かつ、ＲＧＢ点発光源群の発光による発熱を片側面に集中させることなく分散させ装置の筐体設計を安易にすることが可能となさしめる効果を奏する。
【０２８５】
さらに、実施の形態１１では、バックライト照明としてＲＧＢ点発光源群を用いることにより、点滅動作に対する発光源の動作寿命を延ばすことが実現できる効果を奏する。さらに、発光源自体の点滅の応答速度も向上可能で、より細かい時間での制御が可能となり、かつ、線発光源に比較して素子の大きさを小型にできることから、明るさを保ちつつ、装置を薄く製造できるという効果も奏する。
【０２８６】
その結果、輝度が重要な据え置き型の大型ＴＶ放送表示装置などへの適用可能となさしめ、さらに、装置の動作寿命を向上できるという効果も奏する。
【０２８７】
さらに、実施の形態１１では、実施の形態８と同様、３色独立な点発光源からなるＲＧＢ点発光源群を用いることにより、ＲＧＢの各色の色の交じりが抑えられ、結果としてより純度の高い色合いの提供を実現することが可能である。
【０２８８】
また、実施の形態８と同様、ＲＧＢ各色で独立に制御可能なスイッチを設けることにより、各色の点灯時間を微妙に調整でき、色温度の調整が可能になっている。また同時に、各色で電源系を分割することで、電源電圧を制御して色温度を調整をすることも可能にしている。
【０２８９】
その結果、実施の形態１１の液晶表示装置においては、輝度が重要な据え置き型の大型ＴＶ放送表示装置などへの適用を可能となさしめ、さらに、色合い制御できかつ装置の動作寿命を向上できるという効果を奏する。ただし、ＲＧＢ個別制御すべく、図８で示した制御動作をさらに細分化した制御動作を行う必要がある。
【０２９０】
上記のように、実施の形態１１の液晶表示装置は、薄さが重要なノートＰＣとか携帯電話、携帯ＴＶ/ＤＶＤ表示装置などへの適用を可能となさしめる効果と同時に更なる装置の小型軽量化、超寿命化に寄与可能となるうえ、色合い(色温度)の調整も可能でより、豊富な機能を最終ユーザに提供可能にする効果を奏する。
【０２９１】
本実施の形態では、ＲＧＢの各色毎にスイッチを独立に設ける例を示したが、３色まとめて共用のスイッチを設ける構造でもよく。この場合は、色温度の調整こそできないが、シンプルな構造でインパルス発光を提供するという本質的な効果を発揮することができる。
【０２９２】
＜実施の形態１２＞
（全体構成）
実施の形態１２の液晶表示装置において、全体構成については、図１〜図３で示した実施の形態１と同様である。
【０２９３】
（バックライト構成）
実施の形態１２のバックライト構成として、実施の形態１〜実施の形態１１で示したバックライト構成のいずれかを用いる。
【０２９４】
（導光板）
実施の形態１〜実施の形態１１のバックライト構成に適合した導光板（導光板８あるいは導光板９）が、実施の形態１２の導光板として採用される。
【０２９５】
（制御動作）
図２３に、本実施の形態における、分割領域ＤＡ１〜ＤＡ４におけるデータの書き込みとバックライトの点滅のタイミング関係を示すタイミング図である。同図において、説明の都合上、分割領域ＤＡ１〜ＤＡ４はそれぞれ２行ずつ表示するＮ＝８の構成を示している。
【０２９６】
実施の形態１〜実施の形態１１における制御動作は図８に示されているが、本実施の形態では、分割バックライト２１〜２４それぞれの点灯している時間を縮め、対応する分割領域ＤＡ１〜ＤＡ４の全画素が目標透過率を達成している時間内に収めることを特徴としている。
【０２９７】
例えば、分割領域ＤＡ１の表示において、最終行ｒ２の書き込み開始から書き込み応答時間Ｔｗ経過後の時刻ｔ１からマージンＴＭ１（≧０）後に分割バックライト２１を発光させ、先頭行ｒ１の書き換え開始時刻ｔ２よりマージンＴＭ２（≧０）前に分割バックライト２１を消灯させることにより、分割領域ＤＡ１の全画素が目標透過率を達成している時間内のみに分割バックライト２１を発光させている。
【０２９８】
同様にして、分割領域ＤＡ２〜ＤＡ４の分割バックライト２２〜２４の発光／消灯制御も同様に行っている。なお、この分割バックライト２１〜２４それぞれのおよその点灯時間は、1／４フレーム(４ms)程度以下を想定している。
【０２９９】
（バックライト点滅制御部）
実施の形態１２のバックライト点滅制御部は、図９で示した実施の形態１と同様な構成をタイミングコントローラ２内に設けることにより実現される。ただし、図２３で示したタイミングで分割バックライト２１〜２４が発光／消灯制御を行うように、ＤフリップフロップＥＦＦ１〜ＥＦＦｋの段数、ＤフリップフロップＬＦＦの個数等を調整する必要がある。
【０３００】
（効果）
実施の形態１２の液晶表示装置の固有の効果を述べる。上述したように、実施の形態１２は分割バックライト２１〜２４それぞれの発光時間を短くし、対応する分割領域ＤＡ１〜ＤＡ４すべての画素が目標透過率を達成している時間内に点灯（発光）を終了させることにより、現状のブラウン管型の表示装置と同様の動画表示性能が、従来と同性能の書き込み応答時間Ｔｗの液晶モジュールと書き込み手順で実現することができる。
【０３０１】
また点灯時間を短くして、点灯中は全ての画素が目標透過率に達していることにより、バックライトの利用効率をより高めることができ、同一の消費電力で、ピーク輝度を向上させるために、より多くのピーク電力を用いることが可能で、同一消費電力での輝度の減少を防ぐことも可能である。
【０３０２】
このように、実施の形態１２の液晶表示装置は、動画を表示する可能性のある、透過型液晶表示装置を搭載するすべての機器で良好な動画表示性能を達成させることができるという効果を奏する。
【０３０３】
＜実施の形態１３＞
（全体構成）
実施の形態１３の液晶表示装置において、全体構成については、図１〜図３で示した実施の形態１と同様である。
【０３０４】
（バックライト構成）
実施の形態１３のバックライト構成として、実施の形態１〜実施の形態１１で示したバックライト構成のいずれかを用いる。
【０３０５】
（導光板）
実施の形態１〜実施の形態１１のバックライト構成に適合した導光板（導光板８あるいは導光板９）が、実施の形態１３の導光板として採用される。
【０３０６】
（制御動作）
図２４に、本実施の形態における、分割領域ＤＡ１〜ＤＡ４におけるデータの書き込みとバックライトの点滅のタイミング関係を示すタイミング図を示す。同図において、説明の都合上、分割領域ＤＡ１〜ＤＡ４はそれぞれ２行ずつ表示するＮ＝８の構成を示している。
【０３０７】
実施の形態１〜実施の形態１１における制御動作は図８に示されているが、実施の形態１３では、黒画面挿入との組み合わせで、分割バックライト２１〜２４それぞれ点灯制御を実施することを特徴としている。
【０３０８】
実施の形態１３では、１フレーム期間ＴＦ１を２つに分割し、一方の期間に通常の表示画像を表示し、他方の期間に黒画像表示を行うべく、画像書き込み動作を実行する。
【０３０９】
黒画面挿入では、通常の１フレーム期間ＴＦ１期間内に、ひとつの画素に対して、通常の画素（通常画像データ）と黒の画素（黒画像データ）を２回書き込むことになり、結果として一秒間に１２０回のフィールドを書き込むことと等価になる。したがって、ソースドライバ３及びゲートドライバ４によるそれぞれ書き込み速度を、実施の形態１の２倍程度にすることが要求される。
【０３１０】
１フレーム期間ＴＦ１における表示画像及び黒画像の分割比率は１：１である必要はなく、液晶パネル５の領域分割数（図２４の例では“４”）と、黒画面の挿入による動作速度の向上との兼ね合いで決められる。
【０３１１】
例えば、動作速度が向上し４ｍｓ（1/4フレーム周期程度）の書き込み応答時間Ｔｗになり、４分割の画面で構成する場合、３：１程度が想定できる。
【０３１２】
この場合、４分割された各分割領域ＤＡ１〜ＤＡ４の最初と最後の行のデータの書き込み開始のずれは約1/4フレーム周期、書き込み応答時間Ｔｗは前述したように1/4フレーム周期、分割領域ＤＡ１〜ＤＡ４それぞれの画像表示期間は合計3/4フレーム（上述したように「３：１」の分割比率）であるため、1/4フレーム周期（=3/4−1/4-1/4）は分割領域ＤＡ１〜ＤＡ４それぞれにおいて、すべての画素が目標とする透過率に落ち着いていることになる。
【０３１３】
そこで、分割領域ＤＡ１〜ＤＡ４において、すべての画素が目標とする透過率に落ち着いている期間に、分割バックライト２１〜２４が発光するように、分割バックライト２１〜２４を制御することにより、インパルス応答型の画像表示を実現している。
【０３１４】
（バックライト点滅制御部）
実施の形態１３のバックライト点滅制御部は、図９で示した実施の形態１と同様な構成をタイミングコントローラ２内に設けることにより実現される。ただし、図２４で示したタイミングで分割バックライト２１〜２４が発光／消灯制御を行うように、ＤフリップフロップＥＦＦ１〜ＥＦＦｋの段数、ＤフリップフロップＬＦＦの個数等を調整する必要がある。
【０３１５】
（効果）
実施の形態１３の液晶表示装置の固有の効果を述べる。上述したように、実施の形態１３では、黒画面挿入とバックライト点滅を併用することにより、高価なフレームメモリを使わずに応答性能を向上させかつ、同一の消費電力で明るさを失うことなくインパルス応答型の画像表示を従来と同性能の書き込み応答時間の液晶モジュールで実現可能とするという効果を奏する。
【０３１６】
その結果、動画を表示する可能性のある、透過型液晶表示装置を搭載するすべての機器で良好な動画表示性能を達成させることが可能となる効果を奏する。
【０３１７】
＜実施の形態１４＞
（全体構成）
実施の形態１４の液晶表示装置において、全体構成については、図１〜図３で示した実施の形態１と同様である。
【０３１８】
（バックライト構成）
実施の形態１４のバックライト構成として、実施の形態１〜実施の形態１１で示したバックライト構成のいずれかを用いる。
【０３１９】
（導光板）
実施の形態１〜実施の形態１１のバックライト構成に適合した導光板（導光板８あるいは導光板９）が、実施の形態１４の導光板として採用される。
【０３２０】
（制御動作）
図２５に、本実施の形態における、分割領域ＤＡ１〜ＤＡ４におけるデータの書き込みとバックライトの点滅のタイミング関係を示すタイミング図である。同図において、説明の都合上、分割領域ＤＡ１〜ＤＡ４はそれぞれ２行ずつ表示するＮ＝８の構成を示している。
【０３２１】
実施の形態１〜実施の形態１１における制御動作は図８に示されているが、本実施の形態では、実施の形態１２と同様に、分割バックライト２１〜２４それぞれの点灯している時間を縮め、対応する分割領域ＤＡ１〜ＤＡ４の全画素が目標透過率を達成している時間内に収めることを特徴としている。
【０３２２】
さらに、実施の形態１３と同様に、１フレーム期間ＴＦ１を２つに分割し、一方の期間に通常の表示画像を表示し、他方の期間に黒画像表示を行うべく、画像書き込み動作を実行する。
【０３２３】
例えば、分割領域ＤＡ１の表示において、最終行ｒ２の書き込み開始から書き込み応答時間Ｔｗ経過後の時刻ｔ１からマージンＴＭ３（≧０）後に分割バックライト２１を発光させ、先頭行ｒ１の黒画像への書き換え開始時刻ｔ３よりマージンＴＭ４（≧０）前に分割バックライト２１を消灯させることにより、分割領域ＤＡ１の全画素が目標透過率を達成している時間内のみに分割バックライト２１を発光させている。なお、図２５ではマージンＴＭ３，ＴＭ４が“０”の場合を示している。
【０３２４】
同様にして、分割領域ＤＡ２〜ＤＡ４の分割バックライト２２〜２４の発光／消灯制御も同様に行っている。なお、この分割バックライト２１〜２４それぞれのおよその点灯時間は、1／４フレーム(４ms)程度以下を想定している。
【０３２５】
一方、１フレーム期間ＴＦ１における表示画像及び黒画像の分割比率は、実施の形態１３と同様に、液晶パネル５の領域分割数と、黒画面の挿入による動作速度の向上との兼ね合いで決められ、例えば、３：１程度が想定できる。
【０３２６】
この場合、実施の形態３と同様に、1/4フレーム周期は分割領域ＤＡ１〜ＤＡ４それぞれにおいて、すべての画素が目標とする透過率に落ち着いていることになる。
【０３２７】
そこで、分割領域ＤＡ１〜ＤＡ４において、すべての画素が目標とする透過率に落ち着いている期間に、分割バックライト２１〜２４が発光するように、分割バックライト２１〜２４を制御することにより、インパルス応答型の画像表示を実現している。
【０３２８】
（バックライト点滅制御部）
実施の形態１４のバックライト点滅制御部は、図９で示した実施の形態１と同様な構成をタイミングコントローラ２内に設けることにより実現される。ただし、図２５で示したタイミングで分割バックライト２１〜２４が発光／消灯制御を行うように、ＤフリップフロップＥＦＦ１〜ＥＦＦｋの段数、ＤフリップフロップＬＦＦの個数等を調整する必要がある。
【０３２９】
（効果）
実施の形態１４の液晶表示装置の固有の効果を述べる。上述したように、実施の形態１４は分割バックライト２１〜２４それぞれの発光時間を短くし、対応する分割領域ＤＡ１〜ＤＡ４すべての画素が目標の透過率を達成している時間内に点灯（発光）を終了させている。
【０３３０】
その結果、実施の形態１４の液晶表示装置は、実施の形態１２と同様の効果を奏し、動画を表示する可能性のある、透過型液表示装置を搭載するすべての機器で良好な動画表示性能を達成させることができる。
【０３３１】
さらに、実施の形態１４の液晶表示装置は、黒画面挿入とバックライト点滅を併用することにより、実施の形態１３同様に、高価なフレームメモリを使わずに応答性能を向上させかつ、同一の消費電力で明るさを失うことなくインパルス応答型の画像表示を従来と同性能の書き込み応答時間の液晶モジュールで実現可能とするという効果を奏する。
【０３３２】
分割領域ＤＡ１〜ＤＡ４それぞれにおいて、すべての画素が目標透過率を達成している時間内に分割バックライト２１〜２４の発光時間を設定することにより、より正確で安定した階調表示が実現でき。さらに、黒画像表示の期間にバックライトを点灯（発光）させることがないため、発光量の使用効率も落とすことがない。
【０３３３】
その結果、実施の形態１４の液晶表示装置は、動画を表示する可能性のある、透過型液表示装置を搭載するすべての機器で良好な動画表示性能を達成させることが可能である。
【０３３４】
＜実施の形態１５＞
（全体構成）
図２６はこの発明の実施の形態１５である透過型の液晶表示装置の構成を示すブロック図である。本液晶表示装置は640列ｘ3色ｘ480行の画素構成の表示画面を有する液晶パネル装置の構成を示している。
【０３３５】
本液晶表示装置は、色画素がマトリックス状に配置された液晶パネル５、ソースドライバ３、ゲートドライバ１７、タイミングコントローラ１５、デジタルI/F１、バックライト用駆動回路１１〜１４及び分割バックライト２１〜２４を主要部として構成されている。
【０３３６】
ＴＶのデジタルIF回路から送信されてきたデジタル信号はデジタルＩ／Ｆ１のレシーバで受けられ、タイミングコントローラ１５へ入力される。
【０３３７】
タイミングコントローラ１５はソースドライバ３へ適当なタイミングで画像データ（アナログ画像信号ｒData，アナログ画像信号ｇData，アナログ画像信号ｂData）を送るとともに、駆動制御用の転送クロックＣlk、水平スタート信号Ｈs,水平ドライブ信号Ｈdrvを生成しソースドライバ３に転送する。
【０３３８】
それと同時に、タイミングコントローラ１５は、垂直転送クロックＶclk、垂直スタート信号Ｖs,垂直ドライブ信号Ｖdrvを生成しゲートドライバ１７へ伝える。
【０３３９】
ソースドライバ３は送られてきた信号から一つの色画素毎の画像データを一行分、取り込んでは出力端子からそれぞれに対応する画像信号を一斉にソース配線に出力する動作を行う。
【０３４０】
一方、ゲートドライバ１７はソースドライバ３から一行分の画像データが一斉に出力されるのにうまく同期するように、対応する行の色画素のＭＯＳトランジスタをオンさせるために、適当なゲート配線に適当なタイミングでオン信号を出力する。
【０３４１】
ゲートドライバ１７は、図２で示したゲートドライバ４と同様な構成を呈するとともに、さらに、バックライト用駆動回路１１〜１４の制御するバックライト点滅制御部を内蔵している。
【０３４２】
バックライト点滅制御部の内部構成は図９で示した実施の形態１のタイミングコントローラ２内のバックライト点滅制御部と同様な回路である。ただし、図９のＤフリップフロップＢＦＦ１〜ＢＦＦ４８０及びＡＮＤゲートＢＧ１〜ＢＧ４８０として、図２で示すＤフリップフロップＦＦ１〜ＦＦ４８０及びＡＮＤゲートＡＧ１〜ＡＧ４８０（ゲートドライバ１７が本来有する回路）を共用することができる。
【０３４３】
なお、ソースドライバ３及びゲートドライバ４の基本的動作は図３で示す実施の形態１と同様である。
【０３４４】
（バックライト構成）
実施の形態１５のバックライト構成として、実施の形態１〜実施の形態１１で示したバックライト構成のいずれかを用いる。
【０３４５】
（導光板）
実施の形態１〜実施の形態１１のバックライト構成に適合した導光板（導光板８あるいは導光板９）が、実施の形態１５の導光板として採用される。
【０３４６】
（制御動作）
実施の形態１５の液晶表示装置の制御動作は、図８で示した実施の形態１の制御動作、あるいは、図２３〜図２５で示した実施の形態１２〜実施の形態１４の制御動作のうち、いずれかと同様に行われる。
【０３４７】
（バックライト点滅制御部）
実施の形態１５のバックライト点滅制御部は、ゲートドライバ１７内に設けることにより実現される。ただし、図２５で示したタイミングで分割バックライト２１〜２４が発光／消灯制御を行う必要がある。
【０３４８】
（効果）
実施の形態１５では、ゲートドライバ１７内にバックライト点滅制御部を内蔵することにより、バックライト用駆動回路１１〜１４を制御している。
【０３４９】
したがって、これまでの、液晶パネル５の回路構成をバックライト回路系のみ追加変更することで実現でき、タイミングコントローラ１５、ソースドライバ３、ゲートドライバ１７の変更は最小で実現できる。さらに、ゲートドライバ１７内において本来のゲートドライバに用いる構成の一部をバックライト点滅制御部に共用できる分、集積化向上をHKあることができる。
【０３５０】
＜実施の形態１６＞
（全体構成）
図２７はこの発明の実施の形態１６である透過型の液晶表示装置の構成を示すブロック図である。本液晶表示装置は640列ｘ3色ｘ480行の画素構成の表示画面を有する液晶パネル装置の構成を示している。
【０３５１】
本液晶表示装置は、色画素がマトリックス状に配置された液晶パネル５、ソースドライバ３、ゲートドライバ４、タイミングコントローラ１５、点滅制御用回路１８、デジタルI/F１、バックライト用駆動回路１１〜１４及び分割バックライト２１〜２４を主要部として構成されている。
【０３５２】
ＴＶのデジタルIF回路から送信されてきたデジタル信号はデジタルＩ／Ｆ１のレシーバで受けられ、タイミングコントローラ１５へ入力される。
【０３５３】
タイミングコントローラ１５はソースドライバ３へ適当なタイミングで画像データ（アナログ画像信号ｒData，アナログ画像信号ｇData，アナログ画像信号ｂData）を送るとともに、駆動制御用の転送クロックＣlk、水平スタート信号Ｈs,水平ドライブ信号Ｈdrvを生成しソースドライバ３に転送する。
【０３５４】
それと同時に、タイミングコントローラ１５は、垂直転送クロックＶclk、垂直スタート信号Ｖs,垂直ドライブ信号Ｖdrvを生成しゲートドライバ４及び点滅制御用回路１８へ伝える。
【０３５５】
ソースドライバ３は送られてきた信号から一つの色画素毎の画像データを一行分、取り込んでは出力端子からそれぞれに対応する画像信号を一斉にソース配線に出力する動作を行う。
【０３５６】
一方、ゲートドライバ４はソースドライバ３から一行分の画像データが一斉に出力されるのにうまく同期するように、対応する行の色画素のＭＯＳトランジスタをオンさせるために、適当なゲート配線に適当なタイミングでオン信号を出力する。
【０３５７】
点滅制御用回路１８は、図９で示した実施の形態１のバックライト点滅制御部と等価化の回路であり、バックライト用駆動回路１１〜１４の制御を行う。
【０３５８】
（バックライト構成）
実施の形態１６のバックライト構成として、実施の形態１〜実施の形態１１で示したバックライト構成のいずれかを用いる。
【０３５９】
（導光板）
実施の形態１〜実施の形態１１のバックライト構成に適合した導光板（導光板８あるいは導光板９）が、実施の形態１６の導光板として採用される。
【０３６０】
（制御動作）
実施の形態１６の液晶表示装置の制御動作は、図８で示した実施の形態１の制御動作、あるいは、図２３〜図２５で示した実施の形態１２〜実施の形態１４の制御動作のうち、いずれかと同様に行われる。
【０３６１】
（バックライト点滅制御部）
図２７に示したように、実施の形態１６のバックライト点滅制御部は、点滅制御用回路１８として独立に設けられる。
【０３６２】
（効果）
実施の形態１６では、点滅制御用回路１８を独立して設けることにより、バックライト用駆動回路１１〜１４を制御している。
【０３６３】
したがって、これまでの、液晶パネル５の回路構成をバックライト回路系のみ追加変更することで実現でき、タイミングコントローラ１５、ソースドライバ３、ゲートドライバ４の変更の必要性はほとんどなく、タイミングコントローラ１５から点滅制御用回路１８に必要な信号を供給するだけで済ますことができる。
【０３６４】
＜実施の形態１７＞
（全体構成）
図２８はこの発明の実施の形態１７である透過型の液晶表示装置の構成を示すブロック図である。本液晶表示装置は640列ｘ3色ｘ480行の画素構成の表示画面を有する液晶パネル装置の構成を示している。
【０３６５】
本液晶表示装置は、色画素がマトリックス状に配置された液晶パネル５、ソースドライバ３、ゲートドライバ４、タイミングコントローラ１５、点滅制御用回路１９、デジタルI/F（回路）１、バックライト用駆動回路１１〜１４及び分割バックライト２１〜２４を主要部として構成されている。
【０３６６】
ＴＶのデジタルIF回路から送信されてきたデジタル信号はデジタルＩ／Ｆ１のレシーバで受けられ、タイミングコントローラ１５へ入力される。
【０３６７】
タイミングコントローラ１５はソースドライバ３へ適当なタイミングで画像データ（アナログ画像信号ｒData，アナログ画像信号ｇData，アナログ画像信号ｂData）を送るとともに、駆動制御用の転送クロックＣlk、水平スタート信号Ｈs,水平ドライブ信号Ｈdrvを生成しソースドライバ３に転送する。
【０３６８】
それと同時に、タイミングコントローラ１５は、垂直転送クロックＶclk、垂直スタート信号Ｖs,垂直ドライブ信号Ｖdrvを生成しゲートドライバ４へ伝える。
【０３６９】
ソースドライバ３は送られてきた信号から一つの色画素毎の画像データを一行分、取り込んでは出力端子からそれぞれに対応する画像信号を一斉にソース配線に出力する動作を行う。
【０３７０】
一方、ゲートドライバ４はソースドライバ３から一行分の画像データが一斉に出力されるのにうまく同期するように、対応する行の色画素のＭＯＳトランジスタをオンさせるために、適当なゲート配線に適当なタイミングでオン信号を出力する。
【０３７１】
さらに、ゲートドライバ４は、タイミングコントローラ１５より得た垂直転送クロックＶclk、垂直スタート信号Ｖs,垂直ドライブ信号Ｖdrvを点滅制御用回路１９に出力する。
【０３７２】
点滅制御用回路１９は、図９で示した実施の形態１のバックライト点滅制御部と等価化の回路であり、バックライト用駆動回路１１〜１４の制御を行う。
【０３７３】
（バックライト構成）
実施の形態１７のバックライト構成として、実施の形態１〜実施の形態１１で示したバックライト構成のいずれかを用いる。
【０３７４】
（導光板）
実施の形態１〜実施の形態１１のバックライト構成に適合した導光板（導光板８あるいは導光板９）が、実施の形態１７の導光板として採用される。
【０３７５】
（制御動作）
実施の形態１７の液晶表示装置の制御動作は、図８で示した実施の形態１の制御動作、あるいは、図２３〜図２５で示した実施の形態１２〜実施の形態１４の制御動作のうち、いずれかと同様に行われる。
【０３７６】
（バックライト点滅制御部）
図２８に示したように、実施の形態１７のバックライト点滅制御部は、点滅制御用回路１９として独立に設けられる。
【０３７７】
（効果）
実施の形態１７では、点滅制御用回路１９を独立して設けることにより、バックライト用駆動回路１１〜１４を制御している。
【０３７８】
したがって、これまでの、液晶パネル５の回路構成をバックライト回路系のみ追加変更することで実現でき、タイミングコントローラ１５、ソースドライバ３、ゲートドライバ４の変更の必要性はほとんどなく、ゲートドライバ４から点滅制御用回路１９に必要な信号を供給するだけで済ますことができる。
【図面の簡単な説明】
【０３７９】
【図１】この発明の実施の形態１である透過型の液晶表示装置の構成を示すブロック図である。
【図２】ゲートドライバ、液晶パネル、及びソースドライバの詳細を示す説明図である。
【図３】ソースドライバ及びゲートドライバの動作時の信号波形を示すタイミング図である。
【図４】実施の形態１の液晶表示装置におけるバックライト構成を示す説明図である。
【図５】実施の形態１の導光板の構成例（その１）を示す説明図である。
【図６】実施の形態１の導光板の構成例（その２）を示す説明図である。
【図７】各分割領域に対しての分割された光の照射分布の例を示す説明図である。
【図８】実施の形態１における、分割領域おけるデータの書き込みとバックライトの点滅のタイミング関係を示すタイミング図である。
【図９】バックライト点滅制御部の回路構成を示す回路図である。
【図１０】実施の形態２の液晶表示装置におけるバックライト構成を示す説明図である。
【図１１】実施の形態２の導光板の断面構造を示す説明図である。
【図１２】実施の形態３の液晶表示装置におけるバックライト構成を示す説明図である。
【図１３】実施の形態４の液晶表示装置におけるバックライト構成を示す説明図である。
【図１４】実施の形態５の液晶表示装置におけるバックライト構成を示す説明図である。
【図１５】実施の形態６の液晶表示装置におけるバックライト構成を示す説明図である。
【図１６】実施の形態７の液晶表示装置におけるバックライト構成を示す説明図である。
【図１７】実施の形態８の液晶表示装置におけるバックライト構成を示す説明図である。
【図１８】通常の白色光をバックライトとした場合に赤色表示する例を示すグラフである。
【図１９】ＲＧＢ点発光源群をバックライトした場合に赤色表示する例を示すグラフである。
【図２０】実施の形態９の液晶表示装置におけるバックライト構成を示す説明図である。
【図２１】実施の形態１０の液晶表示装置におけるバックライト構成を示す説明図である。
【図２２】実施の形態１１の液晶表示装置におけるバックライト構成を示す説明図である。
【図２３】実施の形態１２における、分割領域おけるデータの書き込みとバックライトの点滅のタイミング関係を示すタイミング図である。
【図２４】実施の形態１３における、分割領域おけるデータの書き込みとバックライトの点滅のタイミング関係を示すタイミング図である。
【図２５】実施の形態１４における、分割領域おけるデータの書き込みとバックライトの点滅のタイミング関係を示すタイミング図である。
【図２６】実施の形態１５の透過型の液晶表示装置の構成を示すブロック図である。
【図２７】実施の形態１６の透過型の液晶表示装置の構成を示すブロック図である。
【図２８】実施の形態１７の透過型の液晶表示装置の構成を示すブロック図である。
【符号の説明】
【０３８０】
１  デジタルＩ／Ｆ、２，１５  タイミングコントローラ、３  ソースドライバ、４，１７  ゲートドライバ、５  液晶パネル、７  反射板、８，９  導光板、１１〜１４  バックライト用駆動回路、１８，１９  点滅制御用回路、２１〜２４  分割バックライト、２１ａ〜２４ａ，２１ｂ〜２４ｂ，２１ｃ〜２４ｃ  線発光源、２１ｄ〜２４ｄ，２１ｅ〜２４ｅ，２１ｆ〜２４ｆ，２１ｇ〜２４ｇ  点発光源、４１〜４４，４１ａ〜４４ａ，４１ｂ〜４４ｂ，４１ｃ〜４４ｃ  ＲＧＢ点発光源群。
【図１】
2006301053.tif 000003
【図２】
2006301053.tif 000004
【図３】
2006301053.tif 000005
【図４】
2006301053.tif 000006
【図５】
2006301053.tif 000007
【図６】
2006301053.tif 000008
【図７】
2006301053.tif 000009
【図８】
2006301053.tif 000010
【図９】
2006301053.tif 000011
【図１０】
2006301053.tif 000012
【図１１】
2006301053.tif 000013
【図１２】
2006301053.tif 000014
【図１３】
2006301053.tif 000015
【図１４】
2006301053.tif 000016
【図１５】
2006301053.tif 000017
【図１６】
2006301053.tif 000018
【図１７】
2006301053.tif 000019
【図１８】
2006301053.tif 000020
【図１９】
2006301053.tif 000021
【図２０】
2006301053.tif 000022
【図２１】
2006301053.tif 000023
【図２２】
2006301053.tif 000024
【図２３】
2006301053.tif 000025
【図２４】
2006301053.tif 000026
【図２５】
2006301053.tif 000027
【図２６】
2006301053.tif 000028
【図２７】
2006301053.tif 000029
【図２８】
2006301053.tif 000030